(57)【要約】      （修正有）【課題】測定光が適切に被検眼に投影されるか否かの判断を可能とする眼科装置を提供する。【解決手段】被検眼に測定光を投影して被検眼からの反射光を受光して被検眼の光学特性を測定する眼特性測定部４３、４４と、被検眼の前眼部の画像を取得する観察光学系４２と、眼特性測定部の光軸Ｏ１０に対して予め決められた位置より被検眼の角膜に対して眼特性測定部による測定領域に対応する測定領域標示光を投影可能な測定領域標示投影光学系４６Ａ、４６Ｂ、４６Ｃと、眼特性測定部４３、４４と観察光学系４２と測定領域標示投影光学系とを制御する制御部と、を備え、制御部は、観察光学系４２で取得した、測定領域標示光が角膜に投影された前眼部の画像に基づいて、測定光が被検眼に適切に投影される状態か否かを判断する。【選択図】図４
2015181843.tif 000002
【特許請求の範囲】
【請求項１】
被検眼に測定光を投影して前記被検眼からの反射光を受光して前記被検眼の光学特性を測定する眼特性測定部と、
前記被検眼の前眼部の画像を取得する観察光学系と、
前記眼特性測定部の光軸に対して予め決められた位置より前記被検眼の角膜に対して前記眼特性測定部による測定領域に対応する測定領域標示光を投影可能な測定領域標示投影光学系と、
前記眼特性測定部と前記観察光学系と前記測定領域標示投影光学系とを制御する制御部と、を備え、
前記制御部は、前記観察光学系で取得した、前記測定領域標示光が前記角膜に投影された前記前眼部の画像に基づいて、前記測定光が前記被検眼に適切に投影される状態か否かを判断することを特徴とする眼科装置。
【請求項２】
前記制御部は、前記測定光が前記被検眼に適切に投影されない状態と判断すると、警告を発することを特徴とする請求項１に記載の眼科装置。
【請求項３】
前記制御部は、前記測定光が前記被検眼に適切に投影されない状態と判断すると、前記被検眼に対する前記眼特性測定部のアライメントを行って、再び前記測定光が前記被検眼に適切に投影される状態か否かの判断を行うことを特徴とする請求項１または請求項２に記載の眼科装置。
【請求項４】
前記制御部は、前記測定光が前記被検眼に適切に投影される状態と判断すると、前記眼特性測定部による測定を開始することを特徴とする請求項１から請求項３のいずれか１項に記載の眼科装置。
【請求項５】
前記制御部は、前記観察光学系で取得した前記前眼部の画像に基づいて、前記前眼部における前記瞳孔の位置と前記瞳孔の大きさとを取得可能であることを特徴とする請求項１から請求項４のいずれか１項に記載の眼科装置。
【請求項６】
前記測定領域標示投影光学系は、前記角膜の形状を測定すべく角膜形状測定光を前記角膜に投影する角膜形状測定光学系であることを特徴とする請求項１から請求項５のいずれか１項に記載の眼科装置。
【請求項７】
前記角膜形状測定光は、前記被検眼に投影されることで、角膜形状測定用リング状指標を前記被検眼に形成することを特徴とする請求項６に記載の眼科装置。
【請求項８】
前記制御部は、前記測定光を用いて前記被検眼の光学特性を測定した測定結果情報に、前記測定光が前記被検眼に適切に投影される状態か否かの判断に用いた画像情報を関連付けて記憶することを特徴とする請求項１から請求項７のいずれか１項に記載の眼科装置。
【請求項９】
請求項８に記載の眼科装置であって、
さらに、前記制御部の制御下で、前記観察光学系で取得した前記前眼部の画像や測定結果を表示する表示部を備え、
前記制御部は、前記被検眼の光学特性を測定した測定結果と、それに関連付けて記憶した前記測定光が前記被検眼に適切に投影される状態か否かの判断に用いた画像と、を前記表示部に表示させることを特徴とする眼科装置。
【請求項１０】
前記制御部は、前記被検眼の光学特性を測定した測定結果の情報と、それに関連付けて記憶した前記測定光が前記被検眼に適切に投影される状態か否かの判断に用いた画像の情報と、を外部機器に出力することを特徴とする請求項８または請求項９に記載の眼科装置。
【発明の詳細な説明】
【技術分野】
【０００１】
本発明は、被検眼に測定光を投影することで、被検眼の眼特性を測定する眼科装置に関する。
【背景技術】
【０００２】
眼科装置では、被検眼に測定光を投影することで、被検眼の眼特性を測定する眼科装置が提案されている（例えば、特許文献１参照）。この眼科装置では、例えば、投影した測定光の被検眼からの反射光を受光光学系で受光することにより、眼特性を測定（検査）する。
【先行技術文献】
【特許文献】
【０００３】
【特許文献１】特開２０１０−１４８５８９号公報
【発明の概要】
【発明が解決しようとする課題】
【０００４】
しかしながら、上記した従来の眼科装置では、測定光が適切に被検眼に投影されているか否かを判断することができず、適切に投影されていない測定光を用いて眼特性を測定（検査）してしまう虞がある。このことは、良好ではない測定結果に基づいて被検眼の内部光学系の異常との誤った判断を招いてしまったり、測定のやり直しを招いてしまう虞がある。
【０００５】
本発明は、上記の事情に鑑みて為されたもので、測定光が適切に被検眼に投影される状態か否かの判断を可能とする眼科装置を提供することを目的とする。
【課題を解決するための手段】
【０００６】
上記した課題を解決するために、請求項１に記載の眼科装置は、被検眼に測定光を投影して前記被検眼からの反射光を受光して前記被検眼の光学特性を測定する眼特性測定部と、前記被検眼の前眼部の画像を取得する観察光学系と、前記眼特性測定部の光軸に対して予め決められた位置より前記被検眼の角膜に対して前記眼特性測定部による測定領域に対応する測定領域標示光を投影可能な測定領域標示投影光学系と、前記眼特性測定部と前記観察光学系と前記測定領域標示投影光学系とを制御する制御部と、を備え、前記制御部は、前記観察光学系で取得した、前記測定領域標示光が前記角膜に投影された前記前眼部の画像に基づいて、前記測定光が前記被検眼に適切に投影される状態か否かを判断することを特徴とする。
【０００７】
請求項２の眼科装置は、請求項１に記載の眼科装置であって、前記制御部は、前記測定光が前記被検眼に適切に投影されない状態と判断すると、警告を発することを特徴とする。
【０００８】
請求項３の眼科装置は、請求項１または請求項２に記載の眼科装置であって、前記制御部は、前記測定光が前記被検眼に適切に投影されない状態と判断すると、前記被検眼に対する前記眼特性測定部のアライメントを行って、再び前記測定光が前記被検眼に適切に投影される状態か否かの判断を行うことを特徴とする。
【０００９】
請求項４の眼科装置は、請求項１から請求項３のいずれか１項に記載の眼科装置であって、前記制御部は、前記測定光が前記被検眼に適切に投影される状態と判断すると、前記眼特性測定部による測定を開始することを特徴とする。
【００１０】
請求項５の眼科装置は、請求項１から請求項４のいずれか１項に記載の眼科装置であって、前記制御部は、前記観察光学系で取得した前記前眼部の画像に基づいて、前記前眼部における前記瞳孔の位置と前記瞳孔の大きさとを取得可能であることを特徴とする。
【００１１】
請求項６の眼科装置は、請求項１から請求項５のいずれか１項に記載の眼科装置であって、前記測定領域標示投影光学系は、前記角膜の形状を測定すべく角膜形状測定光を前記角膜に投影する角膜形状測定光学系であることを特徴とする。
【００１２】
請求項７の眼科装置は、請求項６に記載の眼科装置であって、前記角膜形状測定光は、前記被検眼に投影されることで、角膜形状測定用リング状指標を前記被検眼に形成することを特徴とする。
【００１３】
請求項８の眼科装置は、請求項１から請求項７のいずれか１項に記載の眼科装置であって、前記制御部は、前記測定光を用いて前記被検眼の光学特性を測定した測定結果情報に、前記測定光が前記被検眼に適切に投影される状態か否かの判断に用いた画像情報を関連付けて記憶することを特徴とする。
【００１４】
請求項９の眼科装置は、請求項８に記載の眼科装置であって、さらに、前記制御部の制御下で、前記観察光学系で取得した前記前眼部の画像や測定結果を表示する表示部を備え、前記制御部は、前記被検眼の光学特性を測定した測定結果と、それに関連付けて記憶した前記測定光が前記被検眼に適切に投影される状態か否かの判断に用いた画像と、を前記表示部に表示させることを特徴とする。
【００１５】
請求項１０の眼科装置は、請求項８または請求項９に記載の眼科装置であって、前記制御部は、前記被検眼の光学特性を測定した測定結果の情報と、それに関連付けて記憶した前記測定光が前記被検眼に適切に投影される状態か否かの判断に用いた画像の情報と、を外部機器に出力することを特徴とする。
【発明の効果】
【００１６】
本発明の眼科装置によれば、測定光が適切に被検眼に投影される状態か否かの判断を可能とすることができる。
【００１７】
上記した構成に加えて、前記制御部は、前記測定光が前記被検眼に適切に投影されない状態と判断すると、警告を発することとすると、測定を実行する前に眼特性測定部の測定光が適切に被検眼に投影されないことを検者に認識させることができる。
【００１８】
上記した構成に加えて、前記制御部は、前記測定光が前記被検眼に適切に投影されない状態と判断すると、前記被検眼に対する前記眼特性測定部のアライメントを行って、再び前記測定光が前記被検眼に適切に投影される状態か否かの判断を行うこととすると、眼特性測定部の測定光が適切に被検眼に投影されている状態で、被検眼の眼特性を測定することを可能とすることができる。
【００１９】
上記した構成に加えて、前記制御部は、前記測定光が前記被検眼に適切に投影される状態と判断すると、前記眼特性測定部による測定を開始することとすると、眼特性測定部の測定光が適切に被検眼に投影されている状態で、被検眼の眼特性を測定することを可能とすることができる。
【００２０】
上記した構成に加えて、前記制御部は、前記観察光学系で取得した前記前眼部の画像に基づいて、前記前眼部における前記瞳孔の位置と前記瞳孔の大きさとを取得可能であることとすると、被検眼の画像における測定領域標示光の位置や状態に瞳孔の位置を加えて判断することができるので、より適切に眼特性測定部の測定光が被検眼に適切に投影される状態か否かを判断することができる。
【００２１】
上記した構成に加えて、前記測定領域標示投影光学系は、前記角膜の形状を測定すべく角膜形状測定光を前記角膜に投影する角膜形状測定光学系であることとすると、角膜の形状を測定するために設けられた光源を用いて測定領域標示光としての角膜形状測定光を投影することができるので、簡易な構成とすることができるとともに本願発明の適用を容易なものとすることができる。
【００２２】
上記した構成に加えて、前記角膜形状測定光は、前記被検眼に投影されることで、角膜形状測定用リング状指標を前記被検眼に形成することとすると、角膜形状測定用リング状指標が形成する円を測定領域に適合する大きさとすることにより、測定領域をより適切に認識することができ、眼特性測定部の測定光が被検眼に適切に投影される状態か否かを、より適切に判断することができる。
【００２３】
上記した構成に加えて、前記制御部は、前記測定光を用いて前記被検眼の光学特性を測定した測定結果情報に、前記測定光が前記被検眼に適切に投影される状態か否かの判断に用いた画像情報を関連付けて記憶することとすると、測定結果が良好ではないものの原因が、被検眼の内部光学系の異常であるのか、眼特性測定部の測定光の不適切な投影であるのか、を判断することができる。
【００２４】
上記した構成に加えて、さらに、前記制御部の制御下で、前記観察光学系で取得した前記前眼部の画像や測定結果を表示する表示部を備え、前記制御部は、前記被検眼の光学特性を測定した測定結果と、それに関連付けて記憶した前記測定光が前記被検眼に適切に投影される状態か否かの判断に用いた画像と、を前記表示部に表示させることとすると、測定結果と併せて当該画像を確認することで被検眼に投影された測定領域標示指標の様子を把握することができるので、測定結果が良好ではないものの原因が、被検眼の内部光学系の異常であるのか、眼特性測定部の測定光の不適切な投影であるのか、を判断することができる。
【００２５】
上記した構成に加えて、前記制御部は、前記被検眼の光学特性を測定した測定結果の情報と、それに関連付けて記憶した前記測定光が前記被検眼に適切に投影される状態か否かの判断に用いた画像の情報と、を外部機器に出力することとすると、外部機器においても、測定結果と併せて当該画像（その情報）を確認することができるので、被検眼に投影された測定領域標示指標の様子を把握することができ、測定結果が良好ではないものの原因が、被検眼の内部光学系の異常であるのか、眼特性測定部の測定光の不適切な投影であるのか、の判断を可能とすることができる。
【図面の簡単な説明】
【００２６】
【図１】本発明に係る実施例の眼科装置１０の構成を模式的に示す説明図である。
【図２】眼科装置１０の眼圧測定部２０の光学的な構成を説明するための説明図である。
【図３】眼科装置１０の眼圧測定部２０の光学的な構成を説明するための図２とは異なる方向から見た説明図である。
【図４】眼科装置１０の眼特性測定部４０の光学的な構成を説明するための説明図である。
【図５】装置本体部１３を移動させて測定モードを切り替える様子を説明するための説明図であり、（ａ）は眼圧測定モードとされた状態を示し、（ｂ）は眼特性測定モードとされた状態を示す。
【図６】装置本体部１３と額当部１６との位置関係を用いて所定の高さ位置ＨＬおよび所定の前方位置ＦＬを説明するための説明図であり、（ａ）は所定の高さ位置ＨＬを示し、（ｂ）は所定の前方位置ＦＬを示す。
【図７】測定領域Ａｍを示す角膜形状測定用リング状指標５１の中央リング状指標像５１ｂが瞳孔Ｅｐの内方に完全に入っているとともに、角膜形状測定用リング状指標５１が適切な状態の被検眼Ｅの前眼部（角膜Ｅｃ）の画像が表示部１４に表示された様子を示す説明図である。
【図８】瞳孔Ｅｐの内方に測定領域Ａｍを示す角膜形状測定用リング状指標５１の中央リング状指標像５１ｂが瞳孔Ｅｐの内方に完全に入っているが、被検眼Ｅにおいて、瞼がしっかりと開かれていないことに伴って睫毛が前眼部（角膜Ｅｃ）に掛かっている状態の被検眼Ｅの前眼部（角膜Ｅｃ）の画像が表示部１４に表示された様子を示す説明図である。
【図９】被検眼Ｅにおいて、瞼がしっかりと開かれているとともに、睫毛が前眼部（角膜Ｅｃ）に掛かっていることはないが、瞳孔Ｅｐの内方に測定領域Ａｍを示す角膜形状測定用リング状指標５１の中央リング状指標像５１ｂが瞳孔Ｅｐの内方に完全には入っていない状態の被検眼Ｅの前眼部（角膜Ｅｃ）の画像が表示部１４に表示された様子を示す説明図である。
【図１０】制御部３３にて実行される測定光適否判断処理（測定光適否判断方法）を示すフローチャートである。
【発明を実施するための形態】
【００２７】
以下に、本願発明に係る眼科装置の発明の実施の形態について図面を参照しつつ説明する。
【実施例】
【００２８】
本発明に係る眼科装置の一実施例としての眼科装置１０を、図１から図１０を用いて説明する。眼科装置１０は、図１に示すように、被検眼Ｅ（図２等参照）の眼圧を測定する眼圧測定部２０と、被検眼Ｅのその他の光学特性（眼特性）を測定する眼特性測定部４０と、を備える複合型の眼科装置である。この被検眼Ｅについては、図２および図３では、眼底（網膜）Ｅｆ、角膜（前眼部）Ｅｃおよび角膜頂点Ｅａを示している。その眼科装置１０は、ベース１１に駆動部１２を介して装置本体部１３が設けられて構成されている。その装置本体部１３には、内方に眼圧測定部２０および眼特性測定部４０が設けられ、外方に表示部１４、顎受部１５および額当部１６が設けられている。
【００２９】
その表示部１４は、液晶ディスプレイで形成されており、後述する制御部３３（図２参照）の制御下で、被検眼Ｅの前眼部像等の画像や検査結果等を表示させる。表示部１４は、本実施例では、タッチパネルの機能を搭載しており、眼圧測定部２０または眼特性測定部４０を用いて測定を行うための操作や、手動により装置本体部１３を移動するための操作を行うことが可能とされている。また、表示部１４は、タッチパネルの機能を利用して、後述する各測定モードにおいて切替アイコンを表示し、当該切替アイコンに触れることによる各測定モードの切り替え操作を可能としている。なお、測定を行うための操作は、測定スイッチを設けて、当該測定スイッチの操作により行うものであってもよい。また、装置本体部１３を移動するための操作は、コントロールレバーや移動操作スイッチを設けて、当該コントロールレバーや当該移動操作スイッチの操作により行うものであってもよい。
【００３０】
顎受部１５および額当部１６は、測定時に装置本体部１３に対して被検者（患者）の顔、すなわち被検眼Ｅの位置を固定するものであり、ベース１１に固定されて設けられている。その顎受部１５は、被検者が顎を載せる箇所となり、額当部１６は、当該被検者が額を宛がう箇所となる。この眼科装置１０では、表示部１４と、顎受部１５および額当部１６と、が、装置本体部１３を挟んだ両側に設けられており、通常の使用時において、表示部１４が検者の側となり、顎受部１５および額当部１６が被検者の側となる。その表示部１４は、装置本体部１３に回転自在に支持されており、表示面の向きを変更すること、例えば、表示面を被検者側に向けることや、表示面を側方（Ｘ軸方向）に向けることが可能とされている。その装置本体部１３は、駆動部１２により、ベース１１に対して移動すること、すなわち顎受部１５と額当部１６とにより固定された被検眼Ｅ（被検者の顔）に対して移動することが可能とされている。
【００３１】
その駆動部１２は、装置本体部１３をベース１１に対して、上下方向（Ｙ軸方向）と、前後方向（Ｚ軸方向（図１を正面視して左右方向））と、それらに直交する左右方向（Ｘ軸方向（図１の紙面に直交する方向）と、に移動させる。なお、この実施例では、上下方向の上側をＹ軸方向の正側とし、前後方向の被検者側（図１を正面視して右側）をＺ軸方向の正側とし、左右方向において図１を正面視して手前側をＸ軸方向の正側とする（図１の矢印参照）。本実施例では、駆動部１２は、Ｙ軸駆動部分１２ａとＺ軸駆動部分１２ｂとＸ軸駆動部分１２ｃとを有する。
【００３２】
Ｙ軸駆動部分１２ａは、ベース１１に設けられており、Ｚ軸駆動部分１２ｂおよびＸ軸駆動部分１２ｃを介して、ベース１１に対して装置本体部１３をＹ軸方向（上下方向）へと移動（変位）させる。換言すると、Ｙ軸駆動部分１２ａは、駆動部１２において、装置本体部１３をＹ軸方向（上下方向）へと移動させるための箇所となる。このＹ軸駆動部分１２ａは、支持支柱１２ｄとＹ軸移動枠１２ｅとを有する。その支持支柱１２ｄは、ベース１１に固定されて設けられており、そのベース１１からＹ軸方向へと伸びて設けられている。Ｙ軸移動枠１２ｅは、その支持支柱１２ｄを取り囲むことが可能な枠形状とされており、図示を略すＹ軸ガイド部材を介してＹ軸方向への相対的な移動が可能に当該支持支柱１２ｄに取り付けられている。そのＹ軸移動枠１２ｅは、支持支柱１２ｄ（ベース１１）に対するＹ軸方向での移動可能な範囲が、後述する眼圧測定モード（図５（ａ）参照）において眼圧測定部２０を最も下方（負側）に位置させることと、後述する眼特性測定モード（図５（ｂ）参照）において眼特性測定部４０を最も上方（正側）に位置させることと、を可能とするように設定されている。
【００３３】
そのＹ軸移動枠１２ｅでは、図示は略すが、支持支柱１２ｄとの間に弾性部材が設けられており、その弾性部材から上方へ向けて押す力が付与されている。その弾性部材は、本実施例では、螺旋状とされた線材により構成され、無負荷状態において最も縮み、一端と他端とを離間させる動作に抗する弾性力を発揮する引張バネを用いている。すなわち、Ｙ軸移動枠１２ｅは、弾性部材により支持支柱１２ｄに対して吊り下げる構成とされている。Ｙ軸移動枠１２ｅは、Ｙ軸ガイド部材により支持支柱１２ｄ（ベース１１）に対する相対的な移動方向がＹ軸方向に規定された状態で、弾性部材を介して支持支柱１２ｄ（ベース１１）に支持されている。なお、弾性部材は、支持支柱１２ｄ（ベース１１）に対してＹ軸方向へと押す力をＹ軸移動枠１２ｅに付与して当該Ｙ軸移動枠１２ｅを支持するものであれば、圧縮バネを用いるものであってもよく、その他の構成であってもよく、本実施例に限定されるものではない。その圧縮バネは、螺旋状とされた線材により構成され、無負荷状態において最も伸びて、一端と他端とを接近させる動作に抗する弾性力を発揮するものである。この圧縮バネを用いる場合、支持支柱１２ｄもしくはベース１１が当該圧縮バネを介してＹ軸移動枠１２ｅを下から支える構成とすればよい。
【００３４】
Ｙ軸駆動部分１２ａには、支持支柱１２ｄに対してＹ軸移動枠１２ｅをＹ軸方向へと移動させる移動力を付与する駆動力伝達機構が設けられている。Ｙ軸駆動部分１２ａでは、上方への移動力を駆動力伝達機構からＹ軸移動枠１２ｅに付与することで当該Ｙ軸移動枠１２ｅを弾性部材が釣り合う位置からＹ軸方向正側へと移動させ、下方への移動力を駆動力伝達機構からＹ軸移動枠１２ｅに付与することで当該Ｙ軸移動枠１２ｅを弾性部材が釣り合う位置からＹ軸方向負側へと移動させる。
【００３５】
Ｚ軸駆動部分１２ｂは、Ｙ軸移動枠１２ｅ（Ｙ軸駆動部分１２ａ）に設けられており、Ｘ軸駆動部分１２ｃを介して、Ｙ軸駆動部分１２ａすなわちベース１１に対して装置本体部１３をＺ軸方向（前後方向）へと移動（変位）させる。換言すると、Ｚ軸駆動部分１２ｂは、駆動部１２において、装置本体部１３をＺ軸方向（前後方向）へと移動させるための箇所となる。このＺ軸駆動部分１２ｂは、Ｚ軸支持台１２ｆとＺ軸移動台１２ｇとを有する。Ｚ軸支持台１２ｆは、Ｙ軸移動枠１２ｅに固定されて設けられており、Ｙ軸移動枠１２ｅと共にＹ軸方向へと移動される。このＺ軸支持台１２ｆは、図示を略すＺ軸ガイド部材を介してＺ軸方向への相対的な移動が可能にＺ軸移動台１２ｇを支持している。Ｚ軸駆動部分１２ｂには、Ｚ軸支持台１２ｆに対してＺ軸移動台１２ｇをＺ軸方向へと移動させる移動力を付与する駆動力伝達機構が設けられている。Ｚ軸駆動部分１２ｂでは、Ｚ軸方向への移動力を駆動力伝達機構からＺ軸移動台１２ｇに付与することで、当該Ｚ軸移動台１２ｇを適宜Ｚ軸方向へと移動させる。
【００３６】
Ｘ軸駆動部分１２ｃは、Ｚ軸移動台１２ｇ（Ｚ軸駆動部分１２ｂ）に設けられており、Ｚ軸駆動部分１２ｂすなわちベース１１に対して装置本体部１３をＸ軸方向（左右方向）へと移動（変位）させる。換言すると、Ｘ軸駆動部分１２ｃは、駆動部１２において、装置本体部１３をＸ軸方向（左右方向）へと移動させるための構成となる。このＸ軸駆動部分１２ｃは、Ｘ軸支持台１２ｈとＸ軸移動台１２ｉとを有する。Ｘ軸支持台１２ｈは、Ｚ軸移動台１２ｇに固定されて設けられており、Ｚ軸移動台１２ｇと共にＺ軸方向へと移動される。このＸ軸支持台１２ｈは、図示を略すＸ軸ガイド部材を介してＸ軸方向への相対的な移動が可能にＸ軸移動台１２ｉを支持している。Ｘ軸駆動部分１２ｃには、Ｘ軸支持台１２ｈに対してＸ軸移動台１２ｉをＸ軸方向へと移動させる移動力を付与する駆動力伝達機構が設けられている。Ｘ軸駆動部分１２ｃでは、Ｘ軸方向への移動力を駆動力伝達機構からＸ軸移動台１２ｉに付与することで、当該Ｘ軸移動台１２ｉを適宜Ｘ軸方向へと移動させる。このＸ軸移動台１２ｉには、装置本体部１３の内方に設けられた眼圧測定部２０と眼特性測定部４０とが取り付けられた取付基板（図示せず）を介して装置本体部１３が固定されている。
【００３７】
このため、駆動部１２は、Ｙ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させることができる。なお、駆動部１２では、明確な図示は略すがＹ軸駆動部分１２ａとＺ軸駆動部分１２ｂとＸ軸駆動部分１２ｃとがそれぞれ制御部３３（図２参照）に接続されており、各駆動部分が制御部３３の制御下で駆動される。その制御部３３は、眼科装置１０における電気制御系を構成するものであり、内蔵する記憶部に格納されたプログラムにより眼科装置１０の各部を統括的に制御する。
【００３８】
なお、図１では、理解容易とするために省略しているが、眼科装置１０では、全体の外形形状を形作るカバー部材が設けられており、ベース１１から駆動部１２を経て装置本体部１３までが当該カバー部材により覆われている。また、図１では、駆動部１２において、Ｙ軸駆動部分１２ａとＺ軸駆動部分１２ｂとＸ軸駆動部分１２ｃとをＹ軸方向に積層して示しているが、完全にＹ軸方向に分割されて構成されているものではなく、Ｙ軸方向に直交する方向で見ると各部が互いに重なり合うように構成されている。このため、駆動部１２すなわち眼科装置１０では、高さ寸法（Ｙ軸方向で見た大きさ寸法）の増大を防止しつつ、装置本体部１３をベース１１に対して適宜移動することが可能とされている。
【００３９】
その装置本体部１３には、内方に眼圧測定部２０と眼特性測定部４０とが設けられている。眼圧測定部２０は、被検眼Ｅの眼圧を測定する際に用いる。眼特性測定部４０は、被検眼Ｅの光学特性（眼特性）を測定するものであり、本実施例では、被検眼Ｅの角膜Ｅｃの形状と被検眼Ｅの眼屈折力（球面度数、乱視度数、乱視軸角度等）とを測定する際に用いる。本実施例の眼科装置１０では、装置本体部１３において、眼圧測定部２０において主光軸となる後述する光軸Ｏ１を、眼特性測定部４０における後述する主光軸Ｏ１０よりも上方（Ｙ軸方向正側）に設けている（図５参照）。このため、この眼科装置１０では、装置本体部１３において、基本的に、眼特性測定部４０の上方に眼圧測定部２０が設けられている。ここで、眼圧測定部２０と眼特性測定部４０との位置関係において基本的にと言ったのは、眼圧測定部２０と眼特性測定部４０とを個別に分離して構成するものではなく、眼圧測定部２０と眼特性測定部４０とにおいて一方の光学系の一部を他方の光学系に交差させることで、眼圧測定部２０と眼特性測定部４０との一部を入り組ませて一体的な構成としていることによる。
【００４０】
次に、図２および図３を用いて、眼圧測定部２０の光学的な構成を説明する。その眼圧測定部２０は、非接触式の眼圧計である。眼圧測定部２０は、図２および図３に示すように、前眼部観察光学系２１とＸＹアライメント指標投影光学系２２と固視標投影光学系２３と圧平検出光学系２４とＺアライメント指標投影光学系２５とＺアライメント検出光学系２６とを備える。
【００４１】
その前眼部観察光学系２１は、被検眼Ｅの前眼部の観察およびＸＹアライメント（Ｘ−Ｙ平面に沿う方向におけるアライメント）をするために設けられている。この前眼部観察光学系２１は、前眼部照明光源２１ａ（図２参照）が設けられるとともに、光軸Ｏ１上に、気流吹付ノズル２１ｂと前眼部窓ガラス２１ｃ（図３参照）とチャンバー窓ガラス２１ｄとハーフミラー２１ｅとハーフミラー２１ｇと対物レンズ２１ｆとＣＣＤカメラ２１ｉとが設けられて構成されている。前眼部照明光源２１ａは、前眼部窓ガラス２１ｃの周囲に位置されており（図２参照）、その前眼部を直接照明すべく複数個（図２には２つのみ示す）設けられている。気流吹付ノズル２１ｂは、被検眼Ｅ（その前眼部）に気流を吹き付けるためのノズルであり、後述する気流吹付機構３４の空気圧縮室３４ａ（図３参照）に設けられている。ＣＣＤカメラ２１ｉは、受光面に形成された画像（前眼部像等）に基づく画像信号を生成するものであり、生成した画像信号を制御部３３（図２参照）へと出力する。このＣＣＤカメラ２１ｉより取得された画像は、制御部３３の制御下で、表示部１４（図１参照）に適宜表示されるとともに、図示を略す外部機器へと適宜出力される。
【００４２】
このＣＣＤカメラ２１ｉは、図３に示すように、合焦駆動機構２１Ｄにより光軸Ｏ１に沿って移動可能とされている。合焦駆動機構２１Ｄは、制御部３３（図２参照）の制御下で、被検眼Ｅの前眼部（角膜Ｅｃ）にピントを合わせるべくＣＣＤカメラ２１ｉを適宜移動させる。その合焦駆動機構２１Ｄでは、その駆動源を後述する固視標投影光学系４１の固視標移動機構４１Ｄ（図４参照）と共用するものとしている。すなわち、当該駆動源は、後述する眼圧測定モード（図５（ａ）参照）において合焦駆動機構２１Ｄを駆動させ、かつ後述する眼特性測定モード（図５（ｂ）参照）において固視標移動機構４１Ｄを駆動させる。制御部３３は、合焦駆動機構２１Ｄを介して、眼圧測定部２０すなわち装置本体部１３の位置に応じて、ＣＣＤカメラ２１ｉの光軸Ｏ１上での位置を変化させることにより、被検眼Ｅの前眼部（角膜Ｅｃ）にピントを合わせる。
【００４３】
この制御部３３は、本実施例では、光軸Ｏ１上における第１焦点位置ｆ１と第２焦点位置ｆ２との２つの位置で、合焦駆動機構２１Ｄを介してＣＣＤカメラ２１ｉを変位させることが可能とされている。その第１焦点位置ｆ１は、眼圧測定部２０（装置本体部１３）を、被検眼Ｅの眼圧の測定を実行することを可能とする位置とした際に、被検眼Ｅの前眼部（角膜Ｅｃ）にピントが合う位置とされている。その被検眼Ｅの眼圧の測定を実行することを可能とする位置は、本実施例では、気流吹付ノズル２１ｂの先端から被検眼Ｅまでの距離（間隔ｄ１）を１１ｍｍとする位置に設定されている（図５（ａ）参照）。
【００４４】
第２焦点位置ｆ２は、眼圧測定部２０（装置本体部１３）を、被検眼Ｅ（被検者）から十分に離した位置とした際に、被検眼Ｅの前眼部（角膜Ｅｃ）にピントが合う位置とされている。これは、後述するように、眼特性測定モード（眼特性測定部４０による測定モード）から、眼圧測定モード（眼圧測定部２０による測定モード）へと切り替える際、眼圧測定部２０（装置本体部１３）を、先ずＹ軸方向へと移動して被検眼Ｅに対応する高さ位置としてから、Ｚ軸方向へと移動させて被検眼Ｅに近付けていくことによる。このような移動は、被検眼Ｅに極めて近付けられる気流吹付ノズル２１ｂ（その先端）が、誤って被検眼Ｅと接触することを防止するために行われる。または、眼圧測定モードにおいて、測定対象とする被検眼Ｅを被検者の左右眼で切り換える際、眼圧測定部２０（装置本体部１３）を、一方の眼圧を測定した位置から先ず後退（Ｚ軸方向負側）し、左右方向（Ｘ軸方向）へと移動して、他方の被検眼Ｅに近付く方向へと移動させながらアライメントを行うことにもよる。このような動作は、眼圧測定部２０の気流吹付ノズル２１ｂの先端が、誤って被検者（その鼻等）に接触することを防止するために行われる。
【００４５】
そして、制御部３３は、本実施例では、ベース１１に対する装置本体部１３（眼圧測定部２０）の位置、すなわち駆動部１２（そのＺ軸駆動部分１２ｂ）によるＺ軸方向（前後方向）での制御位置に応じて、ＣＣＤカメラ２１ｉの位置を第１焦点位置ｆ１と第２焦点位置ｆ２とで切り替える。これは、眼圧測定部２０と被検眼Ｅとの間隔が、ベース１１に対する装置本体部１３（眼圧測定部２０）の位置によりおおまかに決定することによる。なお、合焦駆動機構２１Ｄでは、駆動源を後述する固視標投影光学系４１の固視標移動機構４１Ｄ（図４参照）と共用するものとしていたが、後述する眼屈折力測定用リング状指標投影光学系４３（受光光学系４４）の指標移動機構４３Ｄ（図４参照）と駆動源を共用するものとしてもよく、本実施例に限定されるものではない。
【００４６】
この前眼部観察光学系２１では、前眼部照明光源２１ａ（図２参照）で被検眼Ｅ（その前眼部）を照明しつつ、その被検眼Ｅの前眼部像をＣＣＤカメラ２１ｉで取得する。その前眼部像（その光束）は、気流吹付ノズル２１ｂの外を通り、前眼部窓ガラス２１ｃ（後述するガラス板３４ｂも含む）、チャンバー窓ガラス２１ｄ、ハーフミラー２１ｇおよびハーフミラー２１ｅを透過し、対物レンズ２１ｆにより集束されて、ＣＣＤカメラ２１ｉ（その受光面）上に形成される。このＣＣＤカメラ２１ｉ（前眼部観察光学系２１）は、形成された前眼部像の受光に基づく信号を制御部３３（図２参照）へと出力する。その制御部３３は、ＣＣＤカメラ２１ｉ（前眼部観察光学系２１）で取得した前眼部像を表示部１４（図１参照）に適宜表示させる。
【００４７】
また、前眼部観察光学系２１では、後述するようにＸＹアライメント指標投影光学系２２により被検眼Ｅに投影されたＸＹアライメント指標光の角膜Ｅｃによる反射光を、ＣＣＤカメラ２１ｉ（その受光面）へと進行させる。詳細には、前眼部観察光学系２１では、当該反射光束を、気流吹付ノズル２１ｂの内部を通り、チャンバー窓ガラス２１ｄ、ハーフミラー２１ｇおよびハーフミラー２１ｅを透過させて対物レンズ２１ｆへと至らせる。そして、前眼部観察光学系２１では、当該反射光束を対物レンズ２１ｆで集束して、ＣＣＤカメラ２１ｉへと進行させる。すると、そのＣＣＤカメラ２１ｉ（その受光面）上には、装置本体部１３（眼圧測定部２０）と角膜ＥｃとのＸＹ方向の位置関係に応じた位置に輝点像が形成される。このＣＣＤカメラ２１ｉ（前眼部観察光学系２１）は、形成された輝点像の受光に基づく信号を制御部３３（図２参照）へと出力することができる。そのＸＹアライメント指標光の輝点像は、被検眼Ｅの角膜Ｅｃ上に形成されるものである。このため、制御部３３は、輝点像が形成された前眼部（角膜Ｅｃ）の画像（そのデータ）を取得することができ、表示部１４に輝点像が形成された前眼部（角膜Ｅｃ）の画像を適宜表示させることができる。なお、その表示部１４には、図示を略す画像生成手段によって生成されたアライメント補助マークも重ねて表示される。
【００４８】
ＸＹアライメント指標投影光学系２２は、指標光を被検眼Ｅの角膜Ｅｃに正面から投影する。その指標光は、Ｘ−Ｙ平面に沿う方向（以下では、ＸＹ方向ともいう）で見た被検眼Ｅ（その前眼部（角膜Ｅｃ））の眼圧測定部２０に対する位置の調節、いわゆるＸＹ方向のアライメントを可能とする機能を有する。また、当該指標光は、被検眼Ｅの角膜Ｅｃの変形量（変形の度合（圧平））の検出を可能とする機能も有する。このＸＹアライメント指標投影光学系２２は、ＸＹアライメント用光源２２ａと集光レンズ２２ｂと開口絞り２２ｃとピンホール板２２ｄとダイクロイックミラー２２ｅと投影レンズ２２ｆとを有し、前眼部観察光学系２１とハーフミラー２１ｅを共用している。ＸＹアライメント用光源２２ａは、赤外光を出射する光源とされている。投影レンズ２２ｆは、ピンホール板２２ｄに焦点を一致させるように、ＸＹアライメント指標投影光学系２２の光路上に配置されている。このＸＹアライメント指標投影光学系２２では、ＸＹアライメント用光源２２ａから出射された赤外光が、集光レンズ２２ｂにより集束されつつ開口絞り２２ｃを通過して、ピンホール板２２ｄ（その穴部）へと進行する。ＸＹアライメント指標投影光学系２２では、ピンホール板２２ｄ（その穴部）を通過した光束を、ダイクロイックミラー２２ｅで反射して投影レンズ２２ｆへと進行させ、その進行した赤外光を投影レンズ２２ｆで平行光束として、ハーフミラー２１ｅへと進行させる。そして、ＸＹアライメント指標投影光学系２２では、ハーフミラー２１ｅで反射することで平行光束を前眼部観察光学系２１の光軸Ｏ１上に進行させる。その平行光束は、ハーフミラー２１ｇおよびチャンバー窓ガラス２１ｄを透過して、気流吹付ノズル２１ｂの内部へと進行し、当該気流吹付ノズル２１ｂの内部を通過することでＸＹアライメント指標光として被検眼Ｅに至る。そのＸＹアライメント指標光は、図示は略すが、角膜Ｅｃの角膜頂点Ｅａと当該角膜Ｅｃの曲率中心との中間位置に輝点像を形成するようにして角膜Ｅｃの表面で反射される。なお、開口絞り２２ｃは、投影レンズ２２ｆに関して角膜Ｅｃの角膜頂点Ｅａと共役な位置に設けられている。
【００４９】
固視標投影光学系２３は、被検眼Ｅに固視標を投影（提示）する。その固視標投影光学系２３は、固視標用光源２３ａとピンホール板２３ｂとを有し、ＸＹアライメント指標投影光学系２２とダイクロイックミラー２２ｅおよび投影レンズ２２ｆを共用するとともに前眼部観察光学系２１とハーフミラー２１ｅを共用している。その固視標用光源２３ａは、可視光を出射する光源とされている。この固視標投影光学系２３では、固視標用光源２３ａから出射した固視標光をピンホール板２３ｂ（その穴部）へと進行させ、そのピンホール板２３ｂ（その穴部）を通過しダイクロイックミラー２２ｅを透過させて、投影レンズ２２ｆへと進行させる。その固視標光（その光束）は、投影レンズ２２ｆにより略平行光とされてハーフミラー２１ｅへと進行し、そのハーフミラー２１ｅで反射されることで前眼部観察光学系２１の光軸Ｏ１上を進行する。その光束は、ハーフミラー２１ｇおよびチャンバー窓ガラス２１ｄを透過して、気流吹付ノズル２１ｂの内部へと進行し、当該気流吹付ノズル２１ｂの内部を通過して被検眼Ｅに至る。固視標投影光学系２３は、この被検眼Ｅに投影した固視標を、被検者に固視目標として注視させることにより、当該被検者の視線を固定する。
【００５０】
圧平検出光学系２４は、図３に示すように、ＸＹアライメント指標投影光学系２２により被検眼Ｅに投影されたＸＹアライメント指標光の角膜Ｅｃによる反射光を受光して、その角膜Ｅｃの表面の変形量（圧平）を検出する。この圧平検出光学系２４は、レンズ２４ａ、ピンホール板２４ｂおよびセンサ２４ｃと、前眼部観察光学系２１の光路上に設けられたハーフミラー２１ｇと、を有する。レンズ２４ａは、角膜Ｅｃの表面のみが平らとされた際に、ＸＹアライメント指標光の角膜Ｅｃによる反射光を、ピンホール板２４ｂの中央の穴に集光させる。そのピンホール板２４ｂは、レンズ２４ａによる上述した集光位置に、中央の穴を位置させて設けられている。センサ２４ｃは、光量検出の可能な受光センサであって、受光した光量に応じた信号を出力するものであり、本実施例ではフォトダイオードを用いる。このセンサ２４ｃ（圧平検出光学系２４）は、受光した光量に応じた信号を制御部３３に出力する。
【００５１】
上述したように、被検眼Ｅの角膜Ｅｃの表面（角膜表面）で反射されたＸＹアライメント指標光の反射光束は、気流吹付ノズル２１ｂの内部を通り、チャンバー窓ガラス２１ｄを透過してハーフミラー２１ｇに至る。圧平検出光学系２４では、その一部をハーフミラー２１ｇで反射してレンズ２４ａへと進行させ、そのレンズ２４ａで集束して、ピンホール板２４ｂへと進行させる。ここで、被検眼Ｅでは、後述する気流吹付機構３４（図１等参照）により気流吹付ノズル２１ｂから角膜Ｅｃに向けて気流を吹き付けられることで、角膜Ｅｃの表面が変形して徐々に平らな状態とされていく。そのとき、圧平検出光学系２４では、上述した設定により、角膜Ｅｃの表面が平らとされると進行してきた反射光束の全体をピンホール板２４ｂの穴に通してセンサ２４ｃへと到達させ、その他の状態ではピンホール板２４ｂで部分的に遮りつつセンサ２４ｃへと到達させる。このため、圧平検出光学系２４では、センサ２４ｃで受光した光量が最大となった時点を検出することにより、角膜Ｅｃの表面が平らとされたこと（圧平）を検知することができる。これにより、圧平検出光学系２４では、流体の吹き付けにより変形した角膜Ｅｃの表面の形状（圧平）を検出することができ、センサ２４ｃがその検出のために角膜Ｅｃからの反射光（反射光束）を受光する受光部として機能する。
【００５２】
Ｚアライメント指標投影光学系２５は、図２に示すように、被検眼Ｅの角膜Ｅｃに、斜めからＺ軸方向のアライメント指標光（アライメント用指標平行光束）を投影する。このＺアライメント指標投影光学系２５は、光軸Ｏ２上に、Ｚアライメント用光源２５ａと集光レンズ２５ｂと開口絞り２５ｃとピンホール板２５ｄと投影レンズ２５ｅとが設けられて構成されている。そのＺアライメント用光源２５ａは、赤外光（例えば波長８６０ｎｍ）を出射する光源とされている。開口絞り２５ｃは、投影レンズ２５ｅに関して角膜Ｅｃの角膜頂点Ｅａと共役な位置に設けられている。その投影レンズ２５ｅは、ピンホール板２５ｄ（その穴部）に焦点を一致させて配置されている。Ｚアライメント指標投影光学系２５では、Ｚアライメント用光源２５ａから出射された赤外光（その光束）が、集光レンズ２５ｂにより集光されつつ開口絞り２５ｃを通過してピンホール板２５ｄへと進行する。このＺアライメント指標投影光学系２５では、ピンホール板２５ｄ（その穴部）を通過した光束を投影レンズ２５ｅへと進行させ、投影レンズ２５ｅで平行光として角膜Ｅｃへと進行させる。その赤外光（その光束（Ｚアライメント指標光））は、被検眼Ｅの内方に位置する輝点像を形成するようにして、角膜Ｅｃの表面で反射される。
【００５３】
Ｚアライメント検出光学系２６は、Ｚアライメント指標光の角膜Ｅｃによる反射光を、前眼部観察光学系２１の光軸Ｏ１に対して対称な方向から受光して、装置本体部１３（眼圧測定部２０）と角膜ＥｃとのＺ軸方向での位置関係を検出する。そのＺアライメント検出光学系２６は、光軸Ｏ３上に、結像レンズ２６ａとシリンドリカルレンズ２６ｂとセンサ２６ｃとが設けられて構成されている。シリンドリカルレンズ２６ｂは、Ｙ軸方向にパワーを持つものとされている。センサ２６ｃは、受光面における受光位置を検出可能な受光センサであり、ラインセンサやＰＳＤを用いて構成することができ、本実施例ではラインセンサを用いる。このセンサ２６ｃは、Ｚアライメント検出補正部３２に接続されている。
【００５４】
このＺアライメント検出光学系２６では、Ｚアライメント指標投影光学系２５によりアライメント指標光が投影されて角膜Ｅｃの表面で反射された反射光束が、結像レンズ２６ａへと進行される。Ｚアライメント検出光学系２６では、反射光束を結像レンズ２６ａで集束し、シリンドリカルレンズ２６ｂへと進行させ、そのシリンドリカルレンズ２６ｂでＹ軸方向に集光してセンサ２６ｃ上に輝点像を形成する。このセンサ２６ｃは、Ｘ−Ｚ平面内において、Ｚアライメント指標投影光学系２５により被検眼Ｅの内方に形成された上述した輝点像と結像レンズ２６ａに関して共役な位置関係にあり、Ｙ−Ｚ平面内において、角膜頂点Ｅａと結像レンズ２６ａおよびシリンドリカルレンズ２６ｂに関して共役な位置関係にある。すなわち、センサ２６ｃは、開口絞り２５ｃと共役関係にあり（このときの倍率は開口絞り２５ｃの像がセンサ２６ｃの大きさより小さくなるように設定している）、Ｙ軸方向に角膜Ｅｃがずれたとしても当該角膜Ｅｃの表面における反射光束は効率良くセンサ２６ｃに入射する。このセンサ２６ｃ（Ｚアライメント検出光学系２６）は、形成された輝点像の受光に基づく信号を、Ｚアライメント検出補正部３２へと出力する。
【００５５】
気流吹付機構３４は、図３に示すように、空気圧縮室３４ａを有し、そこに空気圧縮駆動部３４ｄ（図１参照）が設けられて構成されている。その空気圧縮駆動部３４ｄは、空気圧縮室３４ａの内方で移動可能なピストンと、そのピストンを移動させる駆動部と、を有し、本実施例では、装置本体部１３において、眼圧測定部２０（その光学系）の上方に設けられている。空気圧縮駆動部３４ｄは、制御部３３（図２参照）の制御下で駆動されることで、空気圧縮室３４ａ内の空気を圧縮する。その空気圧縮室３４ａには、透明なガラス板３４ｂを介して気流吹付ノズル２１ｂが取り付けられているとともに、そこと対向してチャンバー窓ガラス２１ｄが設けられている。このため、空気圧縮室３４ａは、前眼部観察光学系２１における上述した機能を妨げることが防止されている。また、空気圧縮室３４ａには、当該空気圧縮室３４ａの圧力を検出する圧力センサ３４ｃが設けられている。この圧力センサ３４ｃは、図示は略すが制御部３３（図２参照）に接続されており、検出した圧力に応じた信号を制御部３３に出力する。この気流吹付機構３４では、制御部３３の制御下で、空気圧縮駆動部３４ｄが空気圧縮室３４ａ内の空気を圧縮することにより、気流吹付ノズル２１ｂから被検眼Ｅの角膜Ｅｃに向けて気流を吹き付けることができる。また、気流吹付機構３４では、圧力センサ３４ｃで空気圧縮室３４ａ内の圧力を検出することにより、気流吹付ノズル２１ｂから気流を吹き付けた際の圧力を取得することが可能とされている。なお、気流吹付機構３４では、圧力センサ３４ｃを設けることに替えて、吹き付ける気流において、時間に対する圧力の変化が予め定められた特性とするものとしてもよい。
【００５６】
この眼圧測定部２０は、前眼部照明光源２１ａとＸＹアライメント用光源２２ａと固視標用光源２３ａとＺアライメント用光源２５ａとの点灯制御を行うためのドライバ（駆動機構）を有し、当該ドライバに制御部３３（図２参照）が接続されている。このため、眼圧測定部２０では、制御部３３の制御下で、前眼部照明光源２１ａとＸＹアライメント用光源２２ａと固視標用光源２３ａとＺアライメント用光源２５ａとを適宜点灯させる。また、眼圧測定部２０では、上述したように、制御部３３の制御下で、合焦駆動機構２１Ｄを介してＣＣＤカメラ２１ｉを光軸Ｏ１上で適宜移動させ、かつＣＣＤカメラ２１ｉから出力された画像信号に基づく画像の生成処理を行い、かつその生成した画像を表示部１４に適宜表示させる。
【００５７】
次に、上述した眼圧測定部２０を用いて被検眼Ｅの眼圧を測定する際の概略的な動作について説明する。なお、眼圧測定部２０における下記の動作は、制御部３３（図２参照）の制御下で実行される。先ず、眼科装置１０の電源スイッチを投入し、表示部１４に眼圧測定部２０を用いて測定を行う旨の操作を行う。すると、眼圧測定部２０では、後述するように眼圧測定モード（図５（ａ）参照）とした後、前眼部照明光源２１ａとＸＹアライメント用光源２２ａと固視標用光源２３ａとＺアライメント用光源２５ａとを適宜点灯させる。このとき、眼圧測定部２０では、各光源２１ａ、２３ａ、２５ａをそれぞれ異なる周期で点滅を繰り返させるものとし、いずれの光源からの光であるかの識別を可能としてもよい。
【００５８】
眼圧測定部２０では、図３に示すように、固視標投影光学系２３の固視標用光源２３ａを点灯することで、固視標を被検眼Ｅに投影して、その被検眼Ｅを固視させるすなわち被検者の視線を固定する。また、眼圧測定部２０では、ＸＹアライメント指標投影光学系２２のＸＹアライメント用光源２２ａを点灯することで、平行光束を角膜Ｅｃに投影する。眼圧測定部２０では、その角膜Ｅｃで反射された反射光束を、前眼部観察光学系２１のＣＣＤカメラ２１ｉと、圧平検出光学系２４のセンサ２４ｃと、により受光する。さらに、眼圧測定部２０では、図２に示すように、Ｚアライメント指標投影光学系２５のＺアライメント用光源２５ａを点灯することで、Ｚ軸方向のアライメント用の平行光束を角膜Ｅｃに投影する。眼圧測定部２０では、その角膜Ｅｃで反射された反射光束を、Ｚアライメント検出光学系２６のセンサ２６ｃで受光する。
【００５９】
眼圧測定部２０では、前眼部観察光学系２１の前眼部照明光源２１ａを点灯することで、被検眼Ｅの前眼部を照明し、その被検眼Ｅの前眼部像をＣＣＤカメラ２１ｉ上に結像させる。そして、眼圧測定部２０では、明確な図示は略すが、表示部１４に被検眼Ｅの前眼部像とＸＹアライメント指標光の輝点像とアライメント補助マークとを表示させる。検者は、この表示部１４を見ながら当該表示部１４に表示された操作部を操作することにより、装置本体部１３を上下左右に移動させて輝点像が表示部１４の画面内に映るようにアライメントを行う。また、眼圧測定部２０では、Ｚアライメント検出補正部３２が、Ｚアライメント検出光学系２６のセンサ２６ｃの受光信号とＸＹアライメント検出部３１の演算結果とに基づいて、装置本体部１３と角膜ＥｃのＺ軸方向の位置関係を演算する。眼圧測定部２０では、制御部３３の制御下で、前眼部観察光学系２１から得られるＸＹ方向での位置およびＺアライメント検出補正部３２から出力される演算結果に基づいて、駆動部１２すなわちＹ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。
【００６０】
眼圧測定部２０では、オートアライメントが完了すると、制御部３３が気流吹付機構３４を作動させて、気流吹付ノズル２１ｂから被検眼Ｅの角膜Ｅｃに向けて気流を吹き付ける。すると、被検眼Ｅでは、角膜Ｅｃの表面が変形して徐々に平らな状態（圧平）とされていく。角膜Ｅｃが徐々に平らな状態（圧平）とされていく過程において、角膜Ｅｃの表面が平らと（圧平）されると圧平検出光学系２４のセンサ２４ｃでの受光量が最大となる。このため、眼圧測定部２０では、センサ２４ｃの受光量の変化に基づいて、角膜Ｅｃの表面が平らと（圧平）されたことを制御部３３が判断する。すなわち、圧平検出光学系２４（センサ２４ｃ）では、角膜Ｅｃの圧平を検出することができる。そして、眼圧測定部２０では、制御部３３が、圧力センサ３４ｃからの出力（吹き付けた気流の圧力）に基づいて、被検眼Ｅの眼圧を求め（眼圧値を算出し）、その算出結果を表示部１４に表示させる。なお、制御部３３では、気流吹付ノズル２１ｂ（気流吹付機構３４）による気流の吹き付けを開始時点から角膜Ｅｃの表面が平らと（圧平）されたことを検知した時点までの時間に基づいて、被検眼Ｅの眼圧を求める（眼圧値を算出する）ものであってもよい。
【００６１】
次に、図４を用いて、眼特性測定部４０の光学的な構成を説明する。その眼特性測定部４０は、被検眼Ｅの角膜Ｅｃの形状と被検眼Ｅの眼屈折力（球面度数、乱視度数、乱視軸角度等）とを測定するものである。眼特性測定部４０は、図４に示すように、固視標投影光学系４１と観察光学系４２と眼屈折力測定用リング状指標投影光学系４３と受光光学系４４とアライメント光投影系４５と角膜形状測定用リング状指標投影光源４６Ａ、４６Ｂ、４６Ｃとを備える。その固視標投影光学系４１は、被検眼Ｅを固視・雲霧させるために、その被検眼Ｅの眼底Ｅｆ（図２、図３参照）に視標を投影する。観察光学系４２は、被検眼Ｅの前眼部（角膜Ｅｃ）を観察する。眼屈折力測定用リング状指標投影光学系４３は、被検眼Ｅの眼屈折力を測定するために、眼屈折力測定用リング状指標としてのパターン光束を、その被検眼Ｅの眼底Ｅｆに投影する。受光光学系４４は、被検眼Ｅの眼底Ｅｆから反射された眼屈折力測定用リング状指標像を後述する撮像素子４４ｄに受光させる。この眼屈折力測定用リング状指標投影光学系４３および受光光学系４４は、後述するように眼屈折力測定光学系を構成する。アライメント光投影系４５は、Ｘ−Ｙ方向でのアライメント状態を検出するために、指標光を被検眼Ｅに向けて投影する。角膜形状測定用リング状指標投影光源４６Ａ、４６Ｂ、４６Ｃは、被検眼Ｅの角膜Ｅｃの形状を測定するために、角膜形状測定用リング状指標光をその被検眼Ｅの角膜Ｅｃに投影する。この角膜形状測定用リング状指標投影光源４６Ａ、４６Ｂ、４６Ｃは、後述するように観察光学系４２とともに角膜形状測定光学系を構成する。また、眼特性測定部４０の光学系には、図示は略すが、被検眼Ｅと装置本体部１３との間の作動距離を検出するための作動距離検出光学系が設けられている。
【００６２】
固視標投影光学系４１は、光軸Ｏ１１上に、固視標光源４１ａとコリメータレンズ４１ｂと指標板４１ｃとリレーレンズ４１ｄとミラー４１ｅとダイクロイックミラー４１ｆとダイクロイックミラー４１ｇと対物レンズ４１ｈとを有する。指標板４１ｃには、被検眼Ｅを固視・雲霧させるためのターゲットが設けられている。その固視標光源４１ａ、コリメータレンズ４１ｂおよび指標板４１ｃは、固視標ユニット４１Ｕを構成し、被検眼Ｅを固視・雲霧させるべく、固視標移動機構４１Ｄにより固視標投影光学系４１の光軸Ｏ１１に沿って一体に移動可能とされている。なお、ダイクロイックミラー４１ｇと対物レンズ４１ｈとは、それらが設けられた位置が、後述する眼特性測定部４０における主光軸Ｏ１０上とされている。
【００６３】
この固視標投影光学系４１では、固視標光源４１ａから可視光を出射し、その可視光をコリメータレンズ４１ｂにより平行光束とした後、指標板４１ｃを透過させてターゲット光束とする。そして、固視標投影光学系４１では、ターゲット光束を、リレーレンズ４１ｄを通した後にミラー４１ｅにより反射し、ダイクロイックミラー４１ｆを通過させてダイクロイックミラー４１ｇへと進行させる。固視標投影光学系４１では、そのターゲット光束をダイクロイックミラー４１ｇで眼特性測定部４０における主光軸Ｏ１０上へと反射して、対物レンズ４１ｈを経て被検眼Ｅへと進行させる。固視標投影光学系４１は、被検眼Ｅに投影したターゲット光束（固視標）を、被検者に固視目標として注視させることにより、当該被検者の視線を固定する。また、固視標投影光学系４１は、被検者に固視目標として注視させた状態から、ピントが合わない位置まで固視標ユニット４１Ｕを移動させることにより、被検眼Ｅを雲霧状態とする。
【００６４】
観察光学系４２は、図示を略す照明光源を有するとともに、主光軸Ｏ１０上に、ハーフミラー４２ａとリレーレンズ４２ｂと結像レンズ４２ｃと撮像素子４２ｄとを有し、固視標投影光学系４１と対物レンズ４１ｈおよびダイクロイックミラー４１ｇを共用する。撮像素子４２ｄは、二次元固体撮像素子であり、本実施例ではＣＭＯＳイメージセンサを用いている。
【００６５】
この観察光学系４２では、照明光源から出射した照明光束で被検眼Ｅの前眼部（角膜Ｅｃ）を照明して、その前眼部で反射された照明光束を対物レンズ４１ｈで取得する。観察光学系４２では、反射された照明光束を、対物レンズ４１ｈを経て、ダイクロイックミラー４１ｇおよびハーフミラー４２ａを通して、リレーレンズ４２ｂを経て結像レンズ４２ｃにより撮像素子４２ｄ（その受光面）上に結像させる。その撮像素子４２ｄは、取得した画像に基づく画像信号を制御部３３（図２参照）に出力する。その制御部３３は、入力された画像信号に基づいて、前眼部（角膜Ｅｃ）の画像を表示部１４に表示させる。このため、観察光学系４２では、撮像素子４２ｄ（その受光面）上に前眼部（角膜Ｅｃ）の像を形成することができ、表示部１４に当該前眼部の画像を表示させることができる。なお、アライメント完了後の屈折力測定時には、観察光学系４２の照明光源を消灯してもよい。
【００６６】
眼屈折力測定用リング状指標投影光学系４３は、眼屈折力測定用光源４３ａとレンズ４３ｂと円錐プリズム４３ｃとリング指標板４３ｄとレンズ４３ｅとバンドパスフィルタ４３ｆと瞳リング４３ｇと穴空きプリズム４３ｈとロータリープリズム４３ｉとを有し、固視標投影光学系４１とダイクロイックミラー４１ｆ、ダイクロイックミラー４１ｇおよび対物レンズ４１ｈを共用する。その眼屈折力測定用光源４３ａと瞳リング４３ｇとは光学的に共役な位置に配置し、リング指標板４３ｄと被検眼Ｅの眼底Ｅｆとは光学的に共役な位置に配置している。また、瞳リング４３ｇは、対物レンズ４１ｈを介して被検眼Ｅの瞳孔Ｅｐ（図７等参照）と共役となる位置に配置している。そして、眼屈折力測定用光源４３ａ、レンズ４３ｂ、円錐プリズム４３ｃおよびリング指標板４３ｄは、指標ユニット４３Ｕを構成し、この指標ユニット４３Ｕは、指標移動機構４３Ｄにより眼屈折力測定用リング状指標投影光学系４３の光軸Ｏ１３に沿って一体に移動可能とされている。
【００６７】
眼屈折力測定用リング状指標投影光学系４３では、眼屈折力測定用光源４３ａから出射した光束をレンズ４３ｂで平行光束とし、円錐プリズム４３ｃを経てリング指標板４３ｄへと進行させる。その光束は、リング指標板４３ｄに形成されたリング状のパターン部分を透過して眼屈折力測定用リング状指標としてのパターン光束とされる。この眼屈折力測定用リング状指標投影光学系４３では、そのパターン光束をレンズ４３ｅ、バンドパスフィルタ４３ｆおよび瞳リング４３ｇを経て穴空きプリズム４３ｈへと進行させ、その穴空きプリズム４３ｈの反射面により反射して、ロータリープリズム４３ｉを経てダイクロイックミラー４１ｆへと進行させる。そして、眼屈折力測定用リング状指標投影光学系４３では、パターン光束をダイクロイックミラー４１ｆで反射した後にダイクロイックミラー４１ｇで反射することで、眼特性測定部４０における主光軸Ｏ１０上に進行させる。そして、眼屈折力測定用リング状指標投影光学系４３では、パターン光束を、対物レンズ４１ｈにより被検眼Ｅの眼底Ｅｆ（図２、図３参照）に結像させる。
【００６８】
受光光学系４４は、穴空きプリズム４３ｈの穴部４４ａとミラー４４ｂとレンズ４４ｃと撮像素子４４ｄとを有し、固視標投影光学系４１と対物レンズ４１ｈ、ダイクロイックミラー４１ｇおよびダイクロイックミラー４１ｆを共用し、かつ眼屈折力測定用リング状指標投影光学系４３とロータリープリズム４３ｉを共用する。撮像素子４４ｄは、二次元固体撮像素子であり、本実施例ではＣＣＤ（電荷結合素子）イメージセンサを用いている。この撮像素子４４ｄは、眼屈折力測定用リング状指標投影光学系４３の指標移動機構４３Ｄにより、当該眼屈折力測定用リング状指標投影光学系４３の指標ユニット４３Ｕと連動して、受光光学系４４の光軸Ｏ１４に沿って移動可能とされている。
【００６９】
受光光学系４４では、眼屈折力測定用リング状指標投影光学系４３によって眼底Ｅｆ（図２、図３参照）に導かれ、かつ当該眼底Ｅｆで反射されたパターン反射光束を、対物レンズ４１ｈにより集光し、ダイクロイックミラー４１ｇで反射した後にダイクロイックミラー４１ｆで反射して、ロータリープリズム４３ｉへと進行させる。そして、受光光学系４４では、反射されたパターン反射光束を、ロータリープリズム４３ｉを経て穴空きプリズム４３ｈの穴部４４ａへと進行させて、この穴部４４ａを通過させる。受光光学系４４では、穴部４４ａを通過したパターン反射光束を、ミラー４４ｂによって反射し、レンズ４４ｃにより撮像素子４４ｄ（その受光面）上にパターン反射光束すなわち眼屈折力測定用リング状指標を結像させる。その撮像素子４４ｄは、取得した画像に基づく画像信号を制御部３３（図２参照）に出力する。その制御部３３は、入力された画像信号に基づいて、眼屈折力測定用リング状指標の画像を表示部１４（図１参照）に表示させる。このため、受光光学系４４では、撮像素子４４ｄ（その受光面）上に眼屈折力測定用リング状指標の像を形成することができ、表示部１４に当該眼屈折力測定用リング状指標の画像を表示させることができる。
【００７０】
アライメント光投影系４５は、ＬＥＤ４５ａとピンホール４５ｂとレンズ４５ｃとを有し、観察光学系４２とハーフミラー４２ａを共用し、固視標投影光学系４１とダイクロイックミラー４１ｇおよび対物レンズ４１ｈを共用する。このアライメント光投影系４５では、ＬＥＤ４５ａからの光束を、ピンホール４５ｂ（その穴部）を通してアライメント指標光束とし、レンズ４５ｃを経てハーフミラー４２ａで反射することで、眼特性測定部４０における主光軸Ｏ１０上に進行させる。そして、アライメント光投影系４５では、アライメント指標光束を、ダイクロイックミラー４１ｇを通して対物レンズ４１ｈへと進行させ、その対物レンズ４１ｈを経て被検眼Ｅの角膜Ｅｃに向けてアライメント指標光束として投影する。このアライメント光投影系４５は、被検眼Ｅの角膜Ｅｃに向けてアライメント指標光束を投影することにより、被検眼Ｅに対して装置本体部１３を自動的にアライメントする機能を有する。その被検眼Ｅに向けて平行光として投影されたアライメント指標光束は、その被検眼Ｅの角膜Ｅｃにおいて反射され、観察光学系４２により撮像素子４２ｄ上にアライメント指標像としての輝点像が投影される。この輝点像が、図示を略す光学系により形成されたアライメントマーク内に位置すると、アライメント完了となる。
【００７１】
角膜形状測定用リング状指標投影光源４６Ａ、４６Ｂ、４６Ｃは、対物レンズ４１ｈの前方側に設けられている。詳細には、この角膜形状測定用リング状指標投影光源４６Ａ、４６Ｂ、４６Ｃは、リングパターン４７上において被検眼Ｅ（角膜Ｅｃ）から所定の距離とされて主光軸Ｏ１０に関して同心状に設けられており、被検眼Ｅ（角膜Ｅｃ）に角膜形状測定用リング状指標光を投影する。その角膜形状測定用リング状指標光は、被検眼Ｅの角膜Ｅｃに投影されることで、その角膜Ｅｃに角膜形状測定用リング状指標５１（図７等参照）を形成する。その角膜形状測定用リング状指標５１（その光束）は、被検眼Ｅの角膜Ｅｃで反射されることで、上記した観察光学系４２により撮像素子４２ｄ上に結像される。このため、観察光学系４２では、表示部１４において、前眼部（角膜Ｅｃ）の画像に重ねて角膜形状測定用リング状指標５１の像（画像）を表示させることができる。
【００７２】
この眼特性測定部４０は、固視標光源４１ａと観察光学系４２の照明光源と眼屈折力測定用光源４３ａとＬＥＤ４５ａと角膜形状測定用リング状指標投影光源４６Ａ、４６Ｂ、４６Ｃとの点灯制御を行うためのドライバ（駆動機構）を有し、当該ドライバに制御部３３（図２参照）が接続されている。このため、眼特性測定部４０では、制御部３３の制御下で、固視標光源４１ａと観察光学系４２の照明光源と眼屈折力測定用光源４３ａとＬＥＤ４５ａと角膜形状測定用リング状指標投影光源４６Ａ、４６Ｂ、４６Ｃとが適宜点灯される。また、眼特性測定部４０では、上述したように、制御部３３の制御下で、固視標移動機構４１Ｄを介して固視標ユニット４１Ｕを光軸Ｏ１１に沿って一体に移動させ、指標移動機構４３Ｄを介して指標ユニット４３Ｕを光軸Ｏ１３に沿って一体に移動させるとともに撮像素子４４ｄを光軸Ｏ１４に沿って移動させる。さらに、眼特性測定部４０では、上述したように、制御部３３の制御下で、撮像素子４２ｄおよび撮像素子４４ｄから出力された画像信号に基づく画像の生成処理を行うとともに、その生成した画像を表示部１４に適宜表示させる。
【００７３】
次に、上述した眼特性測定部４０を用いて被検眼Ｅの角膜Ｅｃの形状と被検眼Ｅの眼屈折力（球面度数、乱視度数、乱視軸角度等）とを測定する際の概略的な動作について説明する。なお、眼特性測定部４０における下記の動作は、制御部３３（図２参照）の制御下で実行される。先ず、眼科装置１０の電源スイッチを投入し、表示部１４に眼特性測定部４０を用いて測定を行う旨の操作を行う。すると、眼特性測定部４０では、後述するように眼特性測定モード（図５（ｂ）参照）とした後、観察光学系４２において、照明光源を点灯させて、表示部１４に前眼部（角膜Ｅｃ）の画像を表示させる。そして、検者は、表示部１４の画面内に被検眼Ｅの瞳孔Ｅｐ（図７等参照）が位置するように、表示部１４に表示された操作部を操作することにより、装置本体部１３を上下左右に移動させて被検眼Ｅに対する装置本体部１３の概略アライメントを行う。また、眼特性測定部４０（制御部３３）では、撮像素子４２ｄから出力された画像信号に基づく前眼部の画像から、瞳孔Ｅｐ（その位置および大きさ（存在する領域））を検出することが可能とされている。この瞳孔Ｅｐの検出は、例えば、前眼部の画像において、瞳孔Ｅｐとして認識すべき形状を予め記憶させておき、画像におけるコントラストに基づいて当該認識すべき形状を検出することにより行うことができる。このため、眼特性測定部４０では、例えば、測定の対象とする被検眼Ｅを左右で切り換える場合には、その切り替えに応じて左右方向へと装置本体部１３を移動させつつ画像に基づき瞳孔Ｅｐを検出し、その検出した瞳孔Ｅｐを目標位置として装置本体部１３（眼特性測定部４０）を移動させることで、上記した概略アライメントを自動で行うことができる。
【００７４】
すると、眼特性測定部４０では、観察光学系４２によりアライメント指標像としての輝点像を表示部１４に表示させる。この後、眼特性測定部４０では、アライメント光投影系４５、作動距離検出光学系（図示を略す）に基づくアライメント検出を開始する。すなわち、眼特性測定部４０では、アライメント指標像としての輝点像をアライメントマーク内に位置させるように、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。これにより、眼特性測定部４０では、装置本体部１３の被検眼Ｅの角膜Ｅｃの頂点に対する自動アライメントが完了する。なお、この自動アライメントの動作中においても、後述するように角膜形状測定用リング状指標投影光源４６Ａ、４６Ｂ、４６Ｃを点灯させて、眼特性測定部４０の測定光（眼屈折力測定光）が適切に被検眼Ｅ（前眼部（角膜Ｅｃ））に投影されるか否かの判断を行うものとしてもよい。
【００７５】
すると、眼特性測定部４０では、眼屈折力測定用リング状指標投影光学系４３の眼屈折力測定用光源４３ａを点灯して、眼屈折力測定用リング状指標としてのパターン光束を被検眼Ｅに投影し、その被検眼Ｅの瞳孔Ｅｐを通して眼底Ｅｆ（図２、図３参照）に結像させる。その眼底Ｅｆに結像させた眼屈折力測定用リング状指標としてのパターン光束は、上述したように受光光学系４４の撮像素子４４ｄへと導かれる。そして、制御部３３では、表示部１４に表示させた画像（撮像素子４４ｄからの画像信号）に基づいて、眼屈折力としての球面度数、円柱度数、軸角度を周知の手法により測定することができる。このため、眼屈折力測定用リング状指標投影光学系４３は、受光光学系４４と協働して眼屈折力測定光学系を構成し、眼特性測定部４０における測定光投影光学系を構成している。このことから、眼屈折力測定用リング状指標としてのパターン光束は、眼屈折力を測定するための測定光（後述する角膜形状測定光と区別する場合には眼屈折力測定光ともいう）として機能する。
【００７６】
また、眼特性測定部４０では、角膜形状測定用リング状指標投影光源４６Ａ、４６Ｂ、４６Ｃを点灯して、角膜形状測定用リング状指標光を角膜Ｅｃに投影する。その角膜形状測定用リング状指標光が投影された被検眼Ｅの前眼部（角膜Ｅｃ）からの光束は、上述したように観察光学系４２の撮像素子４２ｄへと導かれる。そして、制御部３３では、表示部１４に表示させた画像（撮像素子４２ｄからの画像信号）に基づいて、角膜Ｅｃに投影された角膜形状測定用リング状指標５１（図７等参照）の像から角膜Ｅｃの形状を測定する。この角膜Ｅｃの形状の測定の詳細については、公知であるのでその説明は省略する。このため、角膜形状測定用リング状指標投影光源４６Ａ、４６Ｂ、４６Ｃは、観察光学系４２と協働して角膜形状測定光学系を構成し、眼特性測定部４０における測定光投影光学系を構成している。このことから、角膜形状測定用リング状指標光は、角膜Ｅｃの形状を測定するための測定光（上述した眼屈折力測定光と区別する場合には角膜形状測定光ともいう）として機能する。
【００７７】
なお、この眼屈折力測定部（眼特性測定部４０）の構成は、特開２００２−２５３５０６号公報に開示のものと同一であるが、この構成に限られるものではない。このように、制御部３３は、角膜形状の測定を実行すると共に、眼屈折力（光学特性）の測定を実行する。なお、制御部３３は、演算結果等を記憶部（図示を略す）に適宜格納する。
【００７８】
眼科装置１０では、本実施例では、装置本体部１３において、基本的に眼特性測定部４０の上方に眼圧測定部２０を設けるとともに、その眼圧測定部２０と眼特性測定部４０とを取付基盤に取り付けて互いに固定して設けている。すなわち、眼科装置１０では、装置本体部１３において、眼圧測定部２０と眼特性測定部４０とを一体的な構成として、位置関係を変更させる必要をなくすものとしている。このため、取付基盤すなわちそこに取り付けた眼圧測定部２０および眼特性測定部４０（装置本体部１３）は、駆動部１２すなわちＹ軸駆動部分１２ａとＺ軸駆動部分１２ｂとＸ軸駆動部分１２ｃにより、ベース１１に対して上下方向（Ｙ軸方向）、前後方向（Ｚ軸方向）、および左右方向（Ｘ軸方向）に適宜移動される。そして、眼科装置１０では、駆動部１２（Ｙ軸駆動部分１２ａ、Ｚ軸駆動部分１２ｂおよびＸ軸駆動部分１２ｃ）により、装置本体部１３（取付基盤）をベース１１に対して移動することで、眼圧測定部２０と眼特性測定部４０とのそれぞれを顎受部１５と額当部１６とにより固定された被検眼Ｅ（被検者の顔）に対応する位置へと移動することができる（図５参照）。
【００７９】
このため、眼科装置１０では、装置本体部１３（取付基盤）をベース１１に対して、駆動部１２のＹ軸駆動部分１２ａにより上下方向（Ｙ軸方向）へと移動させることで、眼圧測定部２０の前眼部観察光学系２１の光軸Ｏ１の延長線上に被検眼Ｅを位置させて眼圧測定部２０を当該被検眼Ｅの高さ位置に対応させることができる（図５（ａ）参照）。そして、眼科装置１０では、図５（ａ）に示すように、駆動部１２のＺ軸駆動部分１２ｂにより前後方向（Ｚ軸方向）へと移動させることで、眼圧測定部２０の前眼部観察光学系２１の気流吹付ノズル２１ｂの先端を被検眼Ｅ（その角膜頂点Ｅａ）から所定の距離（間隔ｄ１）に位置するものとする。その間隔ｄ１は、本実施例では、１１ｍｍとしている。この状態が、眼圧測定部２０による測定モードすなわち眼圧測定モードとなる。
【００８０】
また、眼科装置１０では、装置本体部１３（取付基盤）をベース１１に対して、駆動部１２のＹ軸駆動部分１２ａにより上下方向（Ｙ軸方向）へと移動させることで、眼特性測定部４０の主光軸Ｏ１０の延長線上に被検眼Ｅを位置させて眼特性測定部４０を当該被検眼Ｅの高さ位置に対応させることができる（図５（ｂ）参照）。そして、眼科装置１０では、図５（ｂ）に示すように、駆動部１２のＺ軸駆動部分１２ｂにより前後方向（Ｚ軸方向）へと移動させることで、眼特性測定部４０の前端（本実施例ではリングパターン４７）を被検眼Ｅから所定の距離（間隔ｄ２）に位置するものとする。なお、この眼特性測定部４０の前端とは、当該眼特性測定部４０において最も被検者に近付く構造物のことを言い、本実施例ではリングパターン４７となる。その間隔ｄ２は、本実施例では、約８０ｍｍとしている。この状態が、眼特性測定部４０による測定モードすなわち眼特性測定モードとなる。
【００８１】
これに伴って、眼科装置１０は、本実施例では、眼圧測定部２０の前端（気流吹付ノズル２１ｂ）を、眼特性測定部４０の前端（リングパターン４７）よりもＺ軸方向正側（被検者側）に変位させている。これは、以下のことによる。眼科装置１０では、上記した構成により、眼圧測定モードとすると、図５（ａ）に示すように、被検者の鼻や口の前に眼特性測定部４０の前端となるリングパターン４７が位置する。また、眼科装置１０では、眼圧測定部２０と眼特性測定部４０とを一体的な構成として、位置関係を変更しないものとしている。このため、眼科装置１０では、例えば、Ｚ軸方向（前後方向）で見て、眼圧測定部２０の前端と眼特性測定部４０の前端とを等しい位置とすると、眼圧測定モードにおいて、リングパターン４７が被検者の鼻や口に接触したり、接触しなくてもリングパターン４７が被検者に窮屈な感覚を与えたりしてしまう。このことを鑑みて、眼科装置１０では、眼圧測定部２０の前端（気流吹付ノズル２１ｂ）を眼特性測定部４０の前端（リングパターン４７）よりもＺ軸方向正側に変位させることで、眼圧測定モード時に、被検者の鼻や口の前に空間を確保している。
【００８２】
これに伴って、眼科装置１０は、本実施例では、眼特性測定部４０において、測定を実行する際の被検眼Ｅ（その角膜頂点Ｅａ）から眼特性測定部４０の前端（本実施例ではリングパターン４７）までの基準間隔を、７５ｍｍ以上の間隔ｄ２（本実施例では、約８０ｍｍ）としている。これは、以下のことによる。先ず、基準間隔とは、眼特性測定部４０により測定を実行する際に、被検眼Ｅ（その状態）に応じてＺ軸方向へと移動されるときの基準となる位置である。このため、眼特性測定部４０では、当該基準間隔からＺ軸方向の正側および負側へと移動するための移動幅が設定されており、本実施例ではその移動幅が±２０ｍｍとされている。また、眼科装置１０では、上述したように、眼圧測定部２０の前端（気流吹付ノズル２１ｂ）を眼特性測定部４０の前端（リングパターン４７）よりもＺ軸方向正側に変位させている。これにより、眼科装置１０では、眼特性測定モードとすると、図５（ｂ）に示すように、顎受部１５とともに被検者の顔を固定する額当部１６と対向して、眼圧測定部２０の前端となる気流吹付ノズル２１ｂが位置する。このため、眼科装置１０では、眼特性測定部４０における被検眼Ｅ（その角膜頂点Ｅａ）から眼特性測定部４０の前端（リングパターン４７）までの基準間隔を小さなものとすると、上記した移動幅でＺ軸方向正側（被検者側）へと移動させた際に、眼圧測定部２０の前端（気流吹付ノズル２１ｂ）を顎受部１５に干渉させてしまう虞がある。換言すると、眼科装置１０では、眼特性測定部４０を基準間隔から上記した移動幅でＺ軸方向正側（被検者側）へと移動させることを可能とするためには、眼特性測定部４０における被検眼Ｅ（その角膜頂点Ｅａ）から眼特性測定部４０の前端（リングパターン４７）までの基準間隔を大きくする必要がある。このことから、眼科装置１０では、眼特性測定部４０において、測定を実行する際の被検眼Ｅ（その角膜頂点Ｅａ）から眼特性測定部４０の前端（リングパターン４７）までの基準間隔（間隔ｄ２）を７５ｍｍ以上に設定しており、本実施例ではその基準間隔（間隔ｄ２）を約８０ｍｍとしている。なお、このような基準間隔の設定は、眼特性測定部４０における各光学部材の光学特性の設定を調整することにより行うことができる。このため、眼科装置１０では、眼圧測定部２０の前端（気流吹付ノズル２１ｂ）を眼特性測定部４０の前端（リングパターン４７）よりもＺ軸方向正側に変位させていても、眼特性測定モードとした際に眼圧測定部２０の前端（気流吹付ノズル２１ｂ）が顎受部１５と干渉することを確実に防止する。
【００８３】
これに加えて、眼科装置１０では、図６（ａ）に示すように、所定の高さ位置ＨＬに到達したことを検出する高さ位置検出部４８を装置本体部１３に設けている。その高さ位置ＨＬは、眼圧測定部２０の気流吹付ノズル２１ｂが額当部１６と干渉することを防止する観点から設定している。なお、図６（ａ）に示す例では、高さ位置ＨＬは、気流吹付ノズル２１ｂと額当部１６との間隔を十分な大きさとするものとしているが、その間隔は適宜設定すればよく、この実施例に限定されるものではない。高さ位置検出部４８は、装置本体部１３が高さ位置ＨＬに到達すると、その旨を示す信号を制御部３３（図２参照）へと出力する。その制御部３３では、高さ位置検出部４８からの当該信号を取得すると、眼圧測定モードである場合、あるいは眼圧測定部２０が所定の前後位置よりもＺ軸方向正側（被検者側）に存在している場合、装置本体部１３を上方へと移動させることを止める。その所定の前後位置は、Ｚ軸方向で見て、気流吹付ノズル２１ｂが額当部１６に干渉することを防止する観点から設定する。
【００８４】
そして、制御部３３では、高さ位置検出部４８からの上記した信号を取得すると、装置本体部１３の上方への移動を止めるとともに、装置本体部１３を上方（Ｙ軸方向正側）へと移動させた状況に応じた制御を実行する。その状況に応じた制御とは、例えば、表示部１４で為された操作に基づいて装置本体部１３を上方へと移動させている場合には、表示部１４にこれ以上の上方への移動が出来ない旨を表示することがあげられる。また、状況に応じた制御とは、例えば、眼圧測定部２０から眼特性測定部４０へと切り替えのための移動を行っている場合には、装置本体部１３を前後方向の後方（Ｚ軸方向負側）へと後退（移動）させた後に装置本体部１３を上方へと移動させることがあげられる。さらに、制御部３３では、眼圧測定部２０における自動アライメントを行っている場合に、高さ位置検出部４８から当該信号を取得すると、被検眼Ｅの検出を遣り直す。これは、眼圧測定部２０における自動アライメントを行っている際に、装置本体部１３を高さ位置ＨＬへと到達させてしまったことは、アライメントの基準とする被検眼Ｅの検出に失敗したことを意味することによる。
【００８５】
また、制御部３３は、眼科装置１０の電源スイッチが投入されると、装置本体部１３の移動を実行する前に、高さ位置検出部４８から上記した信号が出力されているか否かを判断する。そして、制御部３３は、高さ位置検出部４８から上記した信号が出力されていない場合、適宜装置本体部１３の移動を実行する。また、制御部３３は、高さ位置検出部４８から上記した信号が出力されている場合、装置本体部１３の上方への移動は行わず、状況に応じた制御を実行する。その状況に応じた制御とは、例えば、表示部１４で装置本体部１３を上方へと移動させる操作が為された場合、表示部１４にこれ以上の上方への移動が出来ない旨を表示することがあげられる。また、状況に応じた制御とは、例えば、眼圧測定部２０から眼特性測定部４０へと切り替えのための移動を行う場合には、装置本体部１３を前後方向の後方（Ｚ軸方向負側）へと後退（移動）させた後に装置本体部１３を上方へと移動させることがあげられる。これにより、眼科装置１０では、例えば、眼圧測定部２０から眼特性測定部４０へと切り替え動作を行っていて、高さ位置検出部４８が上記した信号を出力した状態で、電源スイッチが切られた場合であっても、再び電源スイッチが投入された際に、気流吹付ノズル２１ｂが額当部１６に干渉することを確実に防止しつつ装置本体部１３の移動を行うことができる。なお、高さ位置検出部４８は、図６（ａ）に示す例では、装置本体部１３に設けていたが、実際に装置本体部１３の高さ方向すなわちＹ軸方向での位置を制御する駆動部１２のＹ軸駆動部分１２ａに設けるものであってもよく、他の場所に設けるものであってもよく、本実施例に限定されるものではない。
【００８６】
さらに、眼科装置１０では、図６（ｂ）に示すように、所定の前方位置ＦＬに到達したことを検出する前方位置検出部４９を装置本体部１３に設けている。その前方位置ＦＬは、眼特性測定モードである場合に、眼圧測定部２０の気流吹付ノズル２１ｂが額当部１６と干渉することを防止する観点から設定している。この前方位置ＦＬは、本実施例では、気流吹付ノズル２１ｂの先端と額当部１６との間隔を１ｍｍとする位置とされている。なお、前方位置ＦＬは、気流吹付ノズル２１ｂと額当部１６との間隔を適宜設定したものとすればよく、この実施例に限定されるものではない。前方位置検出部４９は、装置本体部１３が前方位置ＦＬに到達すると、その旨を示す信号を制御部３３（図２参照）へと出力する。その制御部３３では、眼特性測定モードである場合に前方位置検出部４９からの当該信号を取得すると、装置本体部１３を前方（Ｚ軸方向正側（被検者側））へと移動させることを止める。
【００８７】
そして、制御部３３では、眼特性測定モードである場合に前方位置検出部４９からの上記した信号を取得すると、装置本体部１３の前方への移動を止めるとともに、装置本体部１３を前方へと移動させた状況に応じた制御を実行する。その状況に応じた制御とは、例えば、表示部１４で為された操作に基づいて装置本体部１３を前方へと移動させている場合には、表示部１４にこれ以上の前方への移動が出来ない旨を表示することがあげられる。また、制御部３３は、眼科装置１０の電源スイッチが投入されると、装置本体部１３の移動を実行する前に、前方位置検出部４９から上記した信号が出力されているか否かを判断する。そして、制御部３３は、前方位置検出部４９から上記した信号が出力されていない場合、適宜装置本体部１３の移動を実行する。また、制御部３３は、前方位置検出部４９から上記した信号が出力されている場合、装置本体部１３の前方への移動は行わず、状況に応じた制御を実行する。その状況に応じた制御とは、例えば、表示部１４で装置本体部１３を前方へと移動させる操作が為された場合、表示部１４にこれ以上の前方への移動が出来ない旨を表示することがあげられる。なお、前方位置検出部４９は、図６（ｂ）に示す例では、装置本体部１３に設けていたが、実際に装置本体部１３の前後方向すなわちＺ軸方向での位置を制御する駆動部１２のＺ軸駆動部分１２ｂに設けるものであってもよく、他の場所に設けるものであってもよく、本実施例に限定されるものではない。
【００８８】
この眼科装置１０では、一般的に、眼特性測定部４０により被検眼Ｅの角膜Ｅｃの形状と被検眼Ｅの眼屈折力（球面度数、乱視度数、乱視軸角度等）とを測定した後に、眼圧測定部２０により被検眼Ｅの眼圧を測定する。眼科装置１０では、上述したように、表示部１４に為された操作に基づいて、制御部３３（図２参照）が各部の動作を制御する。
【００８９】
眼科装置１０では、電源スイッチが投入されると、表示部１４に、眼圧測定モードとする眼圧切替アイコンと、眼特性測定モードとする眼特性切替アイコンと、を表示する。なお、この表示部１４では、眼圧測定モードと眼特性測定モードとの選択および切り替えを可能とするものであれば、眼圧切替アイコンと眼特性測定モードとを表示することに替えて単一の切替アイコンを表示されるものであってもよく、他の形式としたアイコンを表示させるものであってもよく、本実施例の構成に限定されるものではない。そして、先に眼特性測定部４０により被検眼Ｅの角膜Ｅｃの形状と被検眼Ｅの眼屈折力（球面度数、乱視度数、乱視軸角度等）とを測定すべく、表示部１４の眼特性切替アイコンに触れられた（選択された）ものとする。
【００９０】
すると、眼科装置１０では、駆動部１２のＹ軸駆動部分１２ａとＺ軸駆動部分１２ｂとＸ軸駆動部分１２ｃとを適宜駆動して、眼特性測定モードとする（図５（ｂ）参照）。すなわち、眼科装置１０では、図５（ｂ）に示すように、眼特性測定部４０の主光軸Ｏ１０の延長線上に被検眼Ｅを位置させるとともに、眼特性測定部４０の固視標投影光学系４１の対物レンズ４１ｈを被検眼Ｅから所定の距離（間隔ｄ２）に位置するものとして、眼特性測定部４０を被検眼Ｅに対応させる。そして、眼科装置１０では、眼特性測定部４０の上述した動作により、被検眼Ｅの角膜Ｅｃの形状と被検眼Ｅの眼屈折力（球面度数、乱視度数、乱視軸角度等）とを測定する。その後、被検眼Ｅの眼圧を測定すべく、表示部１４の眼圧切替アイコンに触れられた（選択された）ものとする。
【００９１】
すると、眼科装置１０では、駆動部１２のＹ軸駆動部分１２ａとＺ軸駆動部分１２ｂとＸ軸駆動部分１２ｃとを適宜駆動して、眼圧測定モードとする（図５（ａ）参照）。ここで、眼科装置１０では、先ず装置本体部１３をＹ軸方向負側へと移動して、眼圧測定部２０を被検眼Ｅに対応する高さ位置とする。このとき、眼科装置１０では、合焦駆動機構２１Ｄを介して、ＣＣＤカメラ２１ｉの光軸Ｏ１上での位置を第２焦点位置ｆ２（図３参照）とする。これにより、眼科装置１０では、被検眼Ｅ（その前眼部（角膜Ｅｃ））の画像を適切に表示部１４に表示させることができる。その後、眼科装置１０では、装置本体部１３をＺ軸方向正側へと移動して、眼圧測定部２０を被検眼Ｅに近付けていき、図５（ａ）に示すように、その気流吹付ノズル２１ｂの先端を被検眼Ｅから所定の距離（間隔ｄ１）に位置するものとして、眼圧測定部２０を被検眼Ｅに対応させる。このとき、眼科装置１０では、合焦駆動機構２１Ｄを介して、ＣＣＤカメラ２１ｉの光軸Ｏ１上での位置を第１焦点位置ｆ１（図３参照）へと移動する。これにより、眼科装置１０では、被検眼Ｅ（その前眼部（角膜Ｅｃ））の画像を適切に表示部１４に表示させることができる。そして、眼科装置１０では、眼圧測定部２０の上述した動作により、被検眼Ｅの眼圧を測定する。
【００９２】
これにより、眼科装置１０では、眼特性測定部４０により被検眼Ｅの角膜Ｅｃの形状と被検眼Ｅの眼屈折力（球面度数、乱視度数、乱視軸角度等）とを測定し、眼圧測定部２０により被検眼Ｅの眼圧を測定することができる。
【００９３】
次に、本発明に係る本実施例の眼科装置１０の特徴的な構成について、図７から図１０を用いて説明する。なお、被検眼Ｅについては、図７から図９では、瞳孔Ｅｐも示している。また、図７から図９では、測定領域Ａｍ（角膜形状測定用リング状指標５１の中央リング状指標像５１ｂの内方）の把握を容易なものとするために、その測定領域Ａｍに相当する箇所にハッチ（斜線）を付して示している。
【００９４】
眼科装置１０では、眼特性測定部４０（図４参照）を用いて眼屈折力を測定する際、角膜形状測定光学系の角膜形状測定用リング状指標投影光源４６Ａ、４６Ｂ、４６Ｃを用いて、被検眼Ｅに角膜形状測定光すなわち角膜形状測定用リング状指標光を投影してその前眼部（角膜Ｅｃ）に角膜形状測定用リング状指標５１（図７等参照）を形成する。この眼科装置１０では、観察光学系４２により撮像素子４２ｄ（その受光面）上に前眼部（角膜Ｅｃ）の像を形成することで、角膜形状測定用リング状指標５１が投影された前眼部の画像を取得して、当該画像（そのデータ）を制御部３３に出力する。そして、眼科装置１０では、図７から図９に示すように、この観察光学系４２（撮像素子４２ｄ）で取得した画像を、制御部３３（図２参照）の制御下で表示部１４に表示させることができる。
【００９５】
本実施例の眼科装置１０では、前眼部（角膜Ｅｃ）に形成させる角膜形状測定用リング状指標５１を３つの円（被検眼Ｅの前眼部（角膜Ｅｃ）が正常な状態であれば略同心円）としている。詳細には、前眼部（角膜Ｅｃ）では、角膜形状測定用リング状指標投影光源４６Ａが投影されることで内側に位置する内側リング状指標像５１ａが形成され、角膜形状測定用リング状指標投影光源４６Ｂが投影されることで真ん中に位置する中央リング状指標像５１ｂが形成され、角膜形状測定用リング状指標投影光源４６Ｃが投影されることで外側に位置する外側リング状指標像５１ｃが形成される。このため、角膜形状測定用リング状指標５１は、内側リング状指標像５１ａと中央リング状指標像５１ｂと外側リング状指標像５１ｃとにより構成されている。
【００９６】
そして、眼科装置１０では、角膜形状測定用リング状指標５１のうちの真ん中の円である中央リング状指標像５１ｂを、眼特性測定部４０の眼屈折力測定光学系（眼屈折力測定用リング状指標投影光学系４３）から投影される眼屈折力測定光による測定領域Ａｍと略等しい大きさ寸法に設定している。その眼屈折力測定光による測定領域Ａｍとは、眼特性測定部４０の眼屈折力測定用リング状指標投影光学系４３（眼屈折力測定光学系）が、被検眼Ｅの眼特性の一例としての眼屈折力を測定すべく、眼屈折力測定光を当該被検眼Ｅ（その眼底Ｅｆ）に投影する領域である。このため、測定領域Ａｍは、眼屈折力測定用リング状指標投影光学系４３（眼屈折力測定光学系）が眼屈折力測定光を用いて被検眼Ｅの眼屈折力を測定することのできる領域を示している。ここで、眼屈折力測定光は、被検眼Ｅにおいて瞳孔Ｅｐを通して眼底Ｅｆに投影される。このため、眼屈折力測定光による測定領域Ａｍ（それを示す中央リング状指標像５１ｂ）が完全に瞳孔Ｅｐ内に位置することにより、眼屈折力測定光を適切に被検眼Ｅの眼底Ｅｆに投影することができ、適切に被検眼Ｅの眼屈折力を測定することができることとなる。
【００９７】
その測定領域Ａｍは、眼特性測定部４０の眼屈折力測定用リング状指標投影光学系４３（眼屈折力測定光学系）が眼屈折力測定光を用いて被検眼Ｅの眼屈折力を測定可能な領域であることから、その中心が常に主光軸Ｏ１０となる。また、角膜形状測定用リング状指標５１は、眼特性測定部４０の角膜形状測定用リング状指標投影光源４６Ａ、４６Ｂ、４６Ｃ（角膜形状測定光学系）により形成されるものであることから、その中心が常に主光軸Ｏ１０となる。そして、角膜形状測定用リング状指標５１が上述したように設定されていることから、角膜形状測定用リング状指標５１のうちの中央リング状指標像５１ｂの内方が、眼特性測定部４０からの測定光による測定領域Ａｍを常に指し示すこととなる。このことから、眼科装置１０（眼特性測定部４０）は、本実施例では、被検眼Ｅの角膜の形状を測定するための角膜形状測定光学系からの角膜形状測定光（測定光）としての角膜形状測定用リング状指標光を、眼特性測定部４０の眼屈折力測定光学系による被検眼Ｅの前眼部における測定領域Ａｍの認識を可能とする測定領域標示光としても利用していることとなる。このため、本実施例では、眼特性測定部４０の角膜形状測定用リング状指標投影光源４６Ａ、４６Ｂ、４６Ｃ（角膜形状測定光学系）が、眼特性測定部４０の眼屈折力測定光学系の光軸である主光軸Ｏ１０上で測定領域標示光を投影する測定領域標示投影光学系として機能する。また、角膜形状測定用リング状指標５１は、測定領域標示光が投影されることにより被検眼Ｅ（その角膜Ｅｃ）に形成される測定領域標示指標として機能する。
【００９８】
本実施例の眼科装置１０では、制御部３３が、入力された画像（そのデータ）において、被検眼Ｅ（角膜Ｅｃ）における瞳孔Ｅｐの位置および当該瞳孔Ｅｐの大きさを検出することが可能とされている。この瞳孔Ｅｐの検出は、例えば、前眼部の画像において、瞳孔Ｅｐとして認識すべき形状を予め記憶させておき、当該画像におけるコントラストに基づいてその認識すべき形状を検出することにより行うことができる。これにより、制御部３３は、前眼部の画像において、瞳孔Ｅｐを示す領域を検出することができる。
【００９９】
また、眼科装置１０では、制御部３３が、この入力された画像（そのデータ）において、被検眼Ｅ（角膜Ｅｃ）に投影された角膜形状測定用リング状指標５１（その形状）を認識することが可能とされている。この角膜形状測定用リング状指標５１（その形状）の認識は、例えば、前眼部の画像において、角膜形状測定用リング状指標５１として認識すべき形状を予め記憶させておき、画像におけるコントラストや輝度値が所定の閾値を超える箇所に基づいて当該認識すべき形状を検出することにより行うことができる。これにより、制御部３３は、前眼部の画像において、角膜形状測定用リング状指標５１（その各リング状指標像５１ａ、５１ｂ、５１ｃ）を検出することができる。
【０１００】
このため、眼科装置１０では、制御部３３が、角膜形状測定用リング状指標５１の中央リング状指標像５１ｂに囲まれた領域を検出することができる。この中央リング状指標像５１ｂに囲まれた領域は、上述したように、眼特性測定部４０の眼屈折力測定光学系における測定領域Ａｍを示している。このことから、眼科装置１０では、制御部３３が、認識した角膜形状測定用リング状指標５１を用いて、眼特性測定部４０の眼屈折力測定光学系における測定領域Ａｍを検出することが可能とされている。
【０１０１】
さらに、眼科装置１０では、制御部３３が、認識した角膜形状測定用リング状指標５１すなわち内側リング状指標像５１ａと中央リング状指標像５１ｂと外側リング状指標像５１ｃとが、適切な状態であるか否かを判断することが可能とされている。詳細には次のようになる。角膜形状測定用リング状指標５１は、本実施例では、上述したように３つの円となる各リング状指標で構成されていることから、適切な状態である場合、各リング状指標像（５１ａから５１ｃ）に欠けが生じることなくかつ各リング状指標像（５１ａから５１ｃ）が途切れることなく円を描くこととなる。ところが、被検眼Ｅの前眼部（角膜Ｅｃ）の前方に障害物が位置している場合には、各リング状指標像（５１ａから５１ｃ）において一部が途切れてしまったり欠けが生じたりしてしまう。その障害物とは、例えば、閉じた（閉じかけも含む）瞼や、前眼部（角膜Ｅｃ）に覆い被さる睫毛等が挙げられる。これは、角膜形状測定用リング状指標５１が角膜形状測定用リング状指標投影光源４６Ａ、４６Ｂ、４６Ｃを用いて被検眼Ｅ（角膜Ｅｃ）に投影されて形成されるものであることから、上記した障害物が前眼部（角膜Ｅｃ）の前方に位置すると当該障害物により投影される光が遮られることで角膜形状測定用リング状指標５１（各リング状指標像（５１ａから５１ｃ））に障害物の影が生じてしまう（所謂ケラレ）ことによる。そして、制御部３３では、角膜形状測定用リング状指標５１として認識した各リング状指標像（５１ａから５１ｃ）において、全体の面積に対するケラレの面積が閾値を超えることや、ケラレにより円が途切れた箇所の数が閾値を超えること等を検出した場合に、角膜形状測定用リング状指標５１が適切な状態ではないものと判断する。このため、角膜形状測定用リング状指標５１が適切な状態ではない場合、眼特性測定部４０の眼屈折力測定光学系からの眼屈折力測定光も同様に被検眼Ｅに適切に投影されないので、被検眼Ｅが眼屈折力測定光学系により眼屈折力測定を実行することに適した状態ではないことを意味する。このため、制御部３３では、角膜形状測定用リング状指標５１としての各リング状指標像（５１ａから５１ｃ）の形状を取得することにより、当該角膜形状測定用リング状指標５１が適切な状態すなわち眼屈折力測定を実行することに適した状態であるか否かを判断することができる。
【０１０２】
なお、この瞳孔Ｅｐや角膜形状測定用リング状指標５１（その各リング状指標像（５１ａから５１ｃ））の検出は、制御部３３が撮像素子４２ｄ（観察光学系４２）から入力された画像（そのデータ）に基づいて行うものであればよく、本実施例の方法に限定されるものではない。
【０１０３】
このため、制御部３３では、眼特性測定部４０の測定光（眼屈折力測定光）が適切に被検眼Ｅの前眼部（角膜Ｅｃ）に投影されるか否かを判断する（測定光適否判断方法）ことができる。制御部３３は、図７に示すように、角膜形状測定用リング状指標５１に基づく測定領域Ａｍが瞳孔Ｅｐの内方に完全に入っているとともに、角膜形状測定用リング状指標５１（その各リング状指標像（５１ａから５１ｃ））が適切な状態である場合、眼特性測定部４０の測定光（眼屈折力測定光）が適切に被検眼Ｅ（前眼部（角膜Ｅｃ））に投影されるものと判断する。すなわち、制御部３３は、本実施例では、角膜形状測定用リング状指標５１の中央リング状指標像５１ｂ（測定領域Ａｍ）が瞳孔Ｅｐの内方に完全に入っていることと、角膜形状測定用リング状指標５１の各リング状指標像（５１ａから５１ｃ）が適切な状態であることと、の双方を満たした場合のみ、眼特性測定部４０の測定光（眼屈折力測定光）が適切に被検眼Ｅ（前眼部（角膜Ｅｃ））に投影されるものと判断する。その図７に示す例では、被検眼Ｅにおいて、瞼がしっかりと開かれているとともに、睫毛が前眼部（角膜Ｅｃ）に掛かっていることがなく、加えて瞳孔Ｅｐの内方に角膜形状測定用リング状指標５１（その中央リング状指標像５１ｂ）が完全に入っている。
【０１０４】
また、制御部３３は、図８に示すように、角膜形状測定用リング状指標５１（その各リング状指標像（５１ａから５１ｃ））が適切な状態ではない場合、眼特性測定部４０の測定光（眼屈折力測定光）が適切に被検眼Ｅ（前眼部（角膜Ｅｃ））に投影されないものと判断する。この図８に示す例では、瞳孔Ｅｐの内方に角膜形状測定用リング状指標５１（その中央リング状指標像５１ｂ）が完全に入っているが、被検眼Ｅにおいて、瞼がしっかりと開かれていないことに伴って睫毛が前眼部（角膜Ｅｃ）に掛かっている。
【０１０５】
さらに、制御部３３は、図９に示すように、瞳孔Ｅｐの内方に角膜形状測定用リング状指標５１（その中央リング状指標像５１ｂ）が完全には入っていない場合、眼特性測定部４０の測定光（眼屈折力測定光）が適切に被検眼Ｅ（前眼部（角膜Ｅｃ））に投影されないものと判断する。この図９に示す例では、被検眼Ｅにおいて、瞼がしっかりと開かれているとともに、睫毛が前眼部（角膜Ｅｃ）に掛かっていることはないが、被検者に真っ直ぐ向いていない場合、あるいは瞳孔中心と角膜曲率中心とにずれがある場合であって、瞳孔Ｅｐの内方に角膜形状測定用リング状指標５１（その中央リング状指標像５１ｂ）が完全には入っていない。
【０１０６】
そして、制御部３３では、上述したように眼特性測定部４０の測定光（眼屈折力測定光）が適切に被検眼Ｅ（前眼部（角膜Ｅｃ））に投影されるか否かを判断する際、その判断に用いた画像（そのデータ）を記憶する。その画像（そのデータ）は、上述したように、撮像素子４２ｄ（観察光学系４２）から入力されたものである。
【０１０７】
次に、制御部３３において実行される、本発明に係る眼特性測定部４０の測定光（眼屈折力測定光）が適切に被検眼Ｅ（前眼部（角膜Ｅｃ））に投影されるか否かを判断する一実施例としての測定光適否判断方法を実行する測定光適否判断処理について、図１０を用いて説明する。その図１０は、本実施例における制御部３３にて実行される測定光適否判断処理（測定光適否判断方法）を示すフローチャートである。この測定光適否判断処理（測定光適否判断方法）は、制御部３３の内蔵する記憶部もしくは当該制御部３３の外部に設けられた記憶部に記憶されたプログラムに基づいて、制御部３３が実行する。以下、図１０のフローチャートの各ステップ（各工程）について説明する。この測定光適否判断処理（測定光適否判断方法）は、オートアライメントを開始することにより開始される。
【０１０８】
ステップＳ１では、測定領域標示光（角膜形状測定用リング状指標光）が投影された前眼部の画像を取得して、ステップＳ２へ進む。このステップＳ１では、眼特性測定部４０において、角膜形状測定光学系の角膜形状測定用リング状指標投影光源４６Ａ、４６Ｂ、４６Ｃを点灯した後に、観察光学系４２の撮像素子４２ｄ（その受光面）から前眼部の画像（そのデータ）を取得する。これにより、測定領域標示光としての角膜形状測定用リング状指標光が投影されて角膜形状測定用リング状指標５１が形成された前眼部（角膜Ｅｃ）の画像（そのデータ）を取得することができる。このとき、制御部３３が、この取得した画像（そのデータ）に基づいて、前眼部の画像を表示部１４に表示させる（図７等参照）。このステップＳ１では、平行してオートアライメントを実行している。
【０１０９】
ステップＳ２では、ステップＳ１での測定領域標示光（角膜形状測定用リング状指標光）が投影された前眼部の画像の取得に続き、画像解析処理を行って、ステップＳ３へ進む。このステップＳ２では、上述したように、画像（そのデータ）において、被検眼Ｅ（角膜Ｅｃ）の瞳孔Ｅｐ（その位置および大きさ）を検出し、測定領域標示光（角膜形状測定用リング状指標光）により形成された角膜形状測定用リング状指標５１（その各リング状指標像（５１ａから５１ｃ））の形状を認識するとともにその中央リング状指標像５１ｂ（そこに囲まれた領域（測定領域Ａｍ））を検出する。
【０１１０】
ステップＳ３では、ステップＳ２での画像解析処理に続き、角膜形状測定用リング状指標５１（その各リング状指標像（５１ａから５１ｃ））が適切な状態であるか否かを判断し、Ｙｅｓの場合はステップＳ４へ進み、Ｎｏの場合はステップＳ７へ進む。このステップＳ３では、上述したように、測定領域標示光としての角膜形状測定用リング状指標光により形成された角膜形状測定用リング状指標５１の各リング状指標像５１ａ、５１ｂ、５１ｃにおけるケラレに基づいて、当該角膜形状測定用リング状指標５１が適切な状態であるか否かを判断する。すなわち、ステップＳ３では、オートアライメント中にステップＳ１で取得した画像（そのデータ）における角膜形状測定用リング状指標５１（その各リング状指標像（５１ａから５１ｃ））を用いて、被検眼Ｅが眼屈折力測定に適した状態であるか否かを判断する。ステップＳ３では、角膜形状測定用リング状指標５１（その各リング状指標像（５１ａから５１ｃ））が適切な状態である場合には、眼特性測定部４０の測定光（眼屈折力測定光）が適切に被検眼Ｅ（前眼部（角膜Ｅｃ））に投影されるためのもう一つの要件を満たしているか否か、すなわち瞳孔Ｅｐと角膜形状測定用リング状指標５１の中央リング状指標像５１ｂとの位置関係を判断すべく、ステップＳ４へ進む。また、ステップＳ３では、角膜形状測定用リング状指標５１（その各リング状指標像（５１ａから５１ｃ））が適切な状態ではない場合には、アライメントを適宜繰り返した後に眼特性測定部４０の測定光（眼屈折力測定光）が適切に被検眼Ｅ（前眼部（角膜Ｅｃ））に投影されないものと判断して、ステップＳ７へ進む。
【０１１１】
ステップＳ４では、ステップＳ３での角膜形状測定用リング状指標５１（その各リング状指標像（５１ａから５１ｃ））が適切な状態であるとの判断に続き、瞳孔Ｅｐと中央リング状指標像５１ｂとの位置関係が適切であるか否かを判断し、Ｙｅｓの場合はステップＳ５へ進み、Ｎｏの場合はアライメントを適宜繰り返した後にステップＳ７へ進む。このステップＳ４では、上述したように、ステップＳ２において検出した角膜形状測定用リング状指標５１の中央リング状指標像５１ｂと瞳孔Ｅｐとに基づいて、その中央リング状指標像５１ｂが瞳孔Ｅｐの内方に完全に入っているか否かを判断し、入っている場合には瞳孔Ｅｐと中央リング状指標像５１ｂとの位置関係が適切であると判断し、入っていない場合には瞳孔Ｅｐと中央リング状指標像５１ｂとの位置関係が適切ではないものと判断する。すなわち、角膜形状測定用リング状指標５１の中央リング状指標像５１ｂは、上述したように、眼屈折力測定用リング状指標投影光学系４３（眼屈折力測定光学系）の測定領域Ａｍを示すものとされていることから、このステップＳ４では、オートアライメント中にステップＳ１で取得した画像（そのデータ）における角膜形状測定用リング状指標５１の中央リング状指標像５１ｂと瞳孔Ｅｐとを用いて、測定領域Ａｍが瞳孔Ｅｐの内方に完全に入っているか否かを判断している。ステップＳ４では、中央リング状指標像５１ｂが瞳孔Ｅｐの内方に完全には入っている（位置関係が適切である）場合には、眼特性測定部４０の測定光（眼屈折力測定光）が適切に被検眼Ｅ（前眼部（角膜Ｅｃ））に投影されるものと判断して、ステップＳ５へ進む。
【０１１２】
ステップＳ５では、ステップＳ４での瞳孔Ｅｐと中央リング状指標像５１ｂとの位置関係が適切であるとの判断に続き、眼特性測定部４０による被検眼Ｅの眼特性の測定を行って、ステップＳ６へ進む。このステップＳ５では、ステップＳ３およびステップＳ４を経て、眼特性測定部４０の測定光（眼屈折力測定光）が適切に被検眼Ｅ（前眼部（角膜Ｅｃ））に投影されるものと判断したことから、眼特性測定部４０による被検眼Ｅの眼特性の測定を実行する。本実施例のステップＳ５では、特性測定部４０により、被検眼Ｅの角膜形状と眼屈折力（光学特性）とを測定する。なお、ステップＳ５では、眼特性測定部４０による被検眼Ｅの眼屈折力の測定を実行することと平行して、眼特性測定部４０の測定光（眼屈折力測定光）が適切に被検眼Ｅ（前眼部（角膜Ｅｃ））に投影されているか否かを判断するものとすることができる。これは、その判断は、眼特性測定部４０の角膜形状測定光学系としての観察光学系４２の撮像素子４２ｄで取得した角膜形状測定用リング状指標５１（その各リング状指標像（５１ａから５１ｃ））が形成された前眼部（角膜Ｅｃ）の画像（そのデータ）を用いるものであり、被検眼Ｅの被検眼Ｅの眼屈折力の測定は、眼特性測定部４０の眼屈折力測定光学系として観察光学系４２の撮像素子４２とは異なる受光光学系４４の撮像素子４４ｄで取得した眼底Ｅｆで反射されたパターン反射光束の画像（そのデータ）を用いるものであることで可能となる。本実施例には記載しないが、観察光学系４２の撮像素子４２ｄと眼特性測定部４０の眼屈折力測定光学系の撮像素子４４ｄを共有する場合には、眼特性測定部４０の測定光が適切な状態で投影されたか否かを判断する為に、被検眼Ｅの眼屈折力の測定を実行した直後の角膜形状測定用リング状指標５１が形成された前眼部（角膜Ｅｃ）の画像（そのデータ）を用いても良い。これらの場合、判断に用いた画像（そのデータ）を、当該測定結果に関連付けて記憶させるものとすることが望ましい。
【０１１３】
ステップＳ６では、ステップＳ５での眼特性測定部４０による被検眼Ｅの眼特性の測定に続き、被検眼Ｅの眼特性の測定結果のデータを生成して、測定光適否判断処理（測定光適否判断方法）を終了する。このステップＳ６では、ステップＳ５で測定した眼特性の測定結果のデータを生成して記憶する。この記憶は、制御部３３の内蔵する記憶部もしくは当該制御部３３の外部に設けられた記憶部に格納することにより行う。なお、ステップＳ６では、眼特性測定部４０の測定光（眼屈折力測定光）が適切に被検眼Ｅ（前眼部（角膜Ｅｃ））に投影されるか否かの判断に用いた画像（そのデータ）を、生成したデータに関連付けて記憶するものとしてもよい。そして、生成したデータを、適宜表示部１４に表示させたり、外部機器に出力したりしても良い。
【０１１４】
ステップＳ７では、ステップＳ３での角膜形状測定用リング状指標５１（その各リング状指標像（５１ａから５１ｃ））が適切な状態ではないとの判断、あるいは、ステップＳ４での瞳孔Ｅｐと中央リング状指標像５１ｂとの位置関係が適切ではないとの判断に続き、警告を発して、ステップＳ８へ進む。この警告は、本実施例では、装置本体部１３に設けた警告音発生器から警告音を発生することにより行う。なお、この警告は、装置本体部１３に警告灯を設け当該警告灯を点灯（点滅）させることにより行うものであってもよく、表示部１４にその旨を知らせる表示をさせるものであってもよく、装置本体部１３に振動発生器を設け当該振動発生器により振動を生じさせるものであってもよく、本実施例の構成に限定されるものではない。
【０１１５】
ステップＳ８では、ステップＳ７での警告を発することに続き、続行操作が為されたか否かを判断し、Ｙｅｓの場合はステップＳ９へ進み、Ｎｏの場合はステップＳ１に戻る。このステップＳ８では、眼特性測定部４０の測定光（眼屈折力測定光）が適切に被検眼Ｅ（前眼部（角膜Ｅｃ））に投影されない状態であるとの警告があった場面において、眼特性測定部４０による測定を直ちに行うことを検者が望んでいるか否かを判断すべく、続行操作が為されたか否かを判断する。直ちに行う場合としては、例えば、検者が問題ないと判断した場合が挙げられる。そのまま行わない場合としては、例えば検者が被検眼を開瞼したい場合等が挙げられる。この続行操作の判断は、例えば、表示部１４に続行操作のためのアイコンと、警告状態の確認のためのアイコンと、を表示させることにより、行うことができる。続行操作が為された（続行操作のためのアイコンがタッチされた）場合、直ちに眼特性測定部４０による測定を行うべくステップＳ８に進む。続行操作が為されない（警告状態の確認のためのアイコンがタッチされた）場合、ステップＳ１に戻ることから、眼特性測定部４０の測定光（眼屈折力測定光）が適切に被検眼Ｅ（前眼部（角膜Ｅｃ））に投影されるか否かをもう一度確認することができる。なお、続行操作が為された否かを判断することなく、一定時間後に自動で測定開始するものとしても良い。
【０１１６】
ステップＳ９では、ステップＳ８での続行操作が為されたとの判断に続き、眼特性測定部４０による被検眼Ｅの眼特性の測定を行って、ステップＳ１０へ進む。ステップＳ９では、特性測定部４０により、被検眼Ｅの角膜形状と眼屈折力（光学特性）とを測定する。なお、ステップＳ９では、ステップＳ５と同様に、眼特性測定部４０による被検眼Ｅの眼屈折力の測定を実行することと平行して、眼特性測定部４０の測定光（眼屈折力測定光）が適切に被検眼Ｅ（前眼部（角膜Ｅｃ））に投影されているか否かを判断するものとすることができる。さらに、ステップＳ９では、ステップＳ５と同様に、眼特性測定部４０による被検眼Ｅの眼屈折力の測定を実行した直後の角膜形状測定用リング状指標５１（その各リング状指標像（５１ａから５１ｃ））が形成された前眼部（角膜Ｅｃ）の画像（そのデータ）を用いて、眼特性測定部４０の測定光（眼屈折力測定光）が適切に被検眼Ｅ（前眼部（角膜Ｅｃ））に投影されているか否かを判断するものとすることができる。これらの場合、ステップＳ５と同様に、判断に用いた画像（そのデータ）を、当該測定結果に関連付けて記憶させるものとすることが望ましい。
【０１１７】
ステップＳ１０では、ステップＳ９での眼特性測定部４０による被検眼Ｅの眼特性の測定に続き、被検眼Ｅの眼特性の測定結果のデータを生成して、測定光適否判断処理（測定光適否判断方法）を終了する。このステップＳ１０では、ステップＳ９で測定した眼特性の測定結果のデータを生成して記憶する。また、ステップＳ９では、眼特性測定部４０の測定光（眼屈折力測定光）が適切に被検眼Ｅ（前眼部（角膜Ｅｃ））に投影される状態か否かの判断に用いた画像（そのデータ）を、生成したデータに関連付けて記憶する。記憶した画像（そのデータ）には、角膜形状測定用リング状指標５１の中央リング状指標像５１ｂの内方すなわち眼特性測定部４０の眼屈折力測定光学系の測定領域Ａｍの把握を容易なものとするために、その中央リング状指標像５１ｂ（測定領域Ａｍ）に相当する箇所に色を付したりハッチ（斜線）等の情報を付したりしてもよい。そして、記憶した生成したデータおよびそれに関連付けた画像（そのデータ）や情報（測定領域Ａｍに侵入した目蓋や睫毛の量や面積、瞳孔Ｅｐと測定領域Ａｍが重なっている面積等）を、適宜表示部１４に表示させたり、外部機器に出力したりする。
【０１１８】
本発明に係る眼科装置の一実施例としての眼科装置１０では、測定領域標示投影光学系（上記した実施例では角膜形状測定用リング状指標投影光源４６Ａ、４６Ｂ、４６Ｃ）により、被検眼Ｅに測定領域標示光（上記した実施例では角膜形状測定用リング状指標光）を投影する。これにより、眼科装置１０では、被検眼Ｅの角膜Ｅｃに測定領域標示指標（上記した実施例では角膜形状測定用リング状指標５１）を形成する。また、眼科装置１０では、その測定領域標示光が投影された被検眼Ｅの画像を、観察光学系４２（その撮像素子４２ｄ（その受光面））で取得する。そして、眼科装置１０では、制御部３３が、測定領域標示光が投影された被検眼Ｅの画像に基づいて、眼特性測定部４０の測定光（眼屈折力測定光）が被検眼Ｅに適切に投影される状態か否かを判断する。すなわち、眼科装置１０では、測定領域標示投影光学系が投影する測定領域標示光が、被検眼Ｅの前眼部における眼特性測定部４０の眼屈折力測定光学系による測定領域Ａｍを示すものであることから、測定領域標示光が投影された被検眼Ｅの画像における測定領域標示光の位置や状態を判断することにより、眼特性測定部４０の測定光（眼屈折力測定光）が被検眼Ｅに適切に投影される状態か否かを判断することができる。
【０１１９】
また、眼科装置１０では、測定を実行する前に眼特性測定部４０の測定光（眼屈折力測定光）が適切に被検眼Ｅに投影されない状態にあることを認識することができるため、測定を実行する前にその旨を報知することができるので、測定のやり直しを招くことを防止することができる。また、眼特性測定部４０の測定光（眼屈折力測定光）が投影された時の被検眼Ｅの状態を眼特性測定部４０の測定光の測定領域を示す測定領域標示投影光学系による指標像（角膜形状測定用リング状指標５１）と共に記憶することができるため、測定結果が良好ではなかった場合であっても被検眼Ｅの内部光学系の異常との誤った判断を招くことを防止することができる。
【０１２０】
眼科装置１０では、制御部３３が、観察光学系４２（その撮像素子４２ｄ（その受光面））で取得した被検眼Ｅの画像に基づいて、当該被検眼Ｅの瞳孔Ｅｐの位置とその瞳孔Ｅｐの大きさとを取得することができる。このため、眼科装置１０では、被検眼Ｅの画像における測定領域標示光の位置や状態に瞳孔Ｅｐの位置や大きさを加えて判断することができるので、より適切に眼特性測定部４０の測定光が被検眼Ｅに適切に投影される状態か否かを判断することができる。
【０１２１】
眼科装置１０では、測定領域標示投影光学系が、被検眼Ｅの角膜の形状を測定すべく角膜形状測定光（上記した実施例では角膜形状測定用リング状指標光）を投影する角膜形状測定光学系（角膜形状測定用リング状指標投影光源４６Ａ、４６Ｂ、４６Ｃおよび観察光学系４２）とされている。このため、眼科装置１０では、角膜の形状を測定するために設けられた角膜形状測定用リング状指標投影光源４６Ａ、４６Ｂ、４６Ｃを用いて測定領域標示光としての角膜形状測定光を投影することができるので、簡易な構成とすることができるとともに本願発明の適用を容易なものとすることができる。
【０１２２】
したがって、本発明に係る眼科装置の一実施例としての眼科装置１０では、測定光（眼屈折力測定光）が適切に被検眼Ｅに投影される状態か否かの判断を可能とすることができる。
【０１２３】
なお、上記した実施例では、眼特性測定部４０と眼圧測定部２０とが一体的に設けられかつその眼特性測定部４０において眼屈折力測定光学系と角膜形状測定光学系とが設けられていたが、被検眼Ｅ（その眼底Ｅｆ）に測定光を投影して被検眼Ｅからの反射光を受光して当該被検眼Ｅの光学特性を測定する眼特性測定部（本実施例では、眼特性測定部４０における眼屈折力測定光学系）を備えるものであれば適用することができ、上記した実施例に限定されるものではない。
【０１２４】
上記した実施例では、被検眼Ｅの角膜の形状を測定するための角膜形状測定光として、３つの円（各リング状指標像（５１ａから５１ｃ））から為る角膜形状測定用リング状指標５１を被検眼Ｅ（その前眼部（角膜Ｅｃ））に投影していたが、点群とされた角膜形状測定光を投影するものであってもよく、円の数が異なるものであってもよく、上記した実施例に限定されるものではない。
【０１２５】
上記した実施例では、眼特性測定部として眼特性測定部４０の眼屈折力測定光学系を搭載していたが、被検眼Ｅの瞳孔Ｅｐを通して眼底Ｅｆからの反射光を受光して当該被検眼Ｅの光学特性を測定するものであれば、例えば波面計測を行うものであってもよく、光学的な構成、各光学部材の配置および測定原理が異なるものであってもよく、測定の内容（種類）が異なるものであってもよく、上記した実施例に限定されるものではない。
【０１２６】
上記した実施例では、制御部３３が測定光適否判断処理（測定光適否判断方法（図１０参照））を実行するものとされていたが、測定領域標示光（角膜形状測定用リング状指標５１）に基づく測定領域Ａｍが瞳孔Ｅｐの内方に完全に入っているとともに測定領域標示光が適切な状態である場合、眼特性測定部４０の測定光（眼屈折力測定光）が適切に被検眼Ｅ（前眼部（角膜Ｅｃ））に投影される状態であるものと判断し、かつ、いずれか一方を満たしていない場合、眼特性測定部４０の測定光（眼屈折力測定光）が適切に被検眼Ｅ（前眼部（角膜Ｅｃ））に投影されない状態であるものと判断するものであればよく、上記した実施例に限定されるものではない。
【０１２７】
上記した実施例では、制御部３３が、測定領域標示光（角膜形状測定用リング状指標５１）に基づく測定領域Ａｍが瞳孔Ｅｐの内方に完全に入っていることと、角膜形状測定用リング状指標５１（各リング状指標像（５１ａから５１ｃ））（その像）が適切な状態であることと、の双方を満たした場合のみ、眼特性測定部４０の測定光（眼屈折力測定光）が適切に被検眼Ｅに投影される状態であるものと判断していたが、角膜形状測定用リング状指標５１（各リング状指標像（５１ａから５１ｃ））（その像）が適切な状態であることのみをもって眼特性測定部４０の測定光（眼屈折力測定光）が適切に被検眼Ｅに投影される状態であるものと判断するものであってもよく、上記した実施例に限定されるものではない。
【０１２８】
上記した実施例では、本願発明の一例としてアライメントを自動で行うオートアライメントに適用した例を示していたが、検者が自らアライメント操作を行うマニュアルアライメントにも適用することができる。
【０１２９】
以上、本発明の眼科装置を実施例に基づき説明してきたが、具体的な構成については実施例に限られるものではなく、本発明の要旨を逸脱しない限り、設計の変更や追加等は許容される。
【符号の説明】
【０１３０】
１０  眼科装置
１４  表示部
３３  制御部
４２  観察光学系
４３  （一例としての眼特性測定部を構成する）眼屈折力測定用リング状指標投影光学系
４４  （一例としての眼特性測定部を構成する）受光光学系
４６Ａ、４６Ｂ、４６Ｃ  （測定領域標示投影光学系（角膜形状測定光学系）の一例としての）角膜形状測定用リング状指標投影光源
５１  （測定領域標示光（角膜形状測定光）の一例としての）角膜形状測定用リング状指標
Ａｍ  測定領域
Ｅ  被検眼
Ｅｃ  角膜
Ｅｐ  瞳孔
【図１】
2015181843.tif 000003
【図２】
2015181843.tif 000004
【図３】
2015181843.tif 000005
【図４】
2015181843.tif 000006
【図５】
2015181843.tif 000007
【図６】
2015181843.tif 000008
【図７】
2015181843.tif 000009
【図８】
2015181843.tif 000010
【図９】
2015181843.tif 000011
【図１０】
2015181843.tif 000012